(57)【特許請求の範囲】
【請求項１】
外部近接物体を検出可能な検出装置であって、
基板と、
前記基板の表面と平行な面に延在する、金属材料で第１端部と第２端部とを直線で結んだ第１細線片及び第２細線片をそれぞれ複数含み、少なくとも前記第１細線片の１つと前記第２細線片の１つが接続部で接続されて電気的に繋がる、導電性細線を複数備える検出電極とを有し、
前記導電性細線に含まれる、第１方向に延びる前記第１細線片と、前記第１方向と異なる第２方向に延びる前記第２細線片とが交差してなす角度が一定であり、
かつ、異なる前記導電性細線上の前記第１細線片同士の距離が一定ではなく、
前記検出電極に備えられた複数の前記導電性細線のうち、異なる導電性細線上の隣り合う前記第１細線片同士の距離がランダムである、検出装置。
【請求項２】
前記検出電極に備えられた複数の前記導電性細線に含まれる、複数の前記第１細線片と複数の前記第２細線片とが交差してなす角度が全て一定である、請求項１に記載の検出装置。
【請求項３】
異なる導電性細線上にあって、隣り合う前記第１細線片同士は、前記第１細線片の前記第１端部と前記第１細線片の前記第２端部とを直線で結んだ長さが一定ではない、請求項１に記載の検出装置。
【請求項４】
複数の前記第１細線片と複数の前記第２細線片とが電気的に繋がる複数の前記導電性細線を備え、
複数の前記導電性細線のうち、隣り合う第１の導電性細線と第２の導電性細線との間で、前記第１の導電性細線における１つの前記第１細線片と、前記第２の導電性細線における１つの前記第１細線片とは、第１端部と第２端部とを直線で結んだ長さが異なり、
前記第１の導電性細線における他の複数の前記第１細線片と、前記第２の導電性細線における他の複数の前記第１細線片とは、第１端部と第２端部とを直線で結んだ長さが同じである、請求項１に記載の検出装置。
【請求項５】
異なる導電性細線上にあって、隣り合う前記第２細線片同士の距離が一定ではない、請求項１乃至４のいずれか１項に記載の検出装置。
【請求項６】
異なる導電性細線上にあって、隣り合う前記第２細線片同士は、前記第２細線片の前記第１端部と前記第２細線片の前記第２端部とを直線で結んだ長さが一定ではない、請求項５に記載の検出装置。
【請求項７】
複数の前記第１細線片と複数の前記第２細線片とが電気的に繋がる複数の前記導電性細線を備え、
複数の前記導電性細線のうち、隣り合う第１の導電性細線と第２の導電性細線との間で、前記第１の導電性細線における１つの前記第２細線片と、前記第２の導電性細線における１つの前記第２細線片とは、第１端部と第２端部とを直線で結んだ長さが異なり、
前記第１の導電性細線における他の複数の前記第２細線片と、前記第２の導電性細線における他の複数の前記第２細線片とは、第１端部と第２端部とを直線で結んだ長さが同じである、請求項５に記載の検出装置。
【請求項８】
前記接続部が前記第１細線片と前記第２細線片との屈曲部である、請求項１乃至７のいずれか１項に記載の検出装置。
【請求項９】
前記接続部が前記第１細線片と前記第２細線片との交差部であり、前記検出電極の１つが網状である、請求項１乃至８のいずれか１項に記載の検出装置。
【請求項１０】
前記検出電極は、金属材料で第１端部と第２端部とを直線で結んだ第３細線片を複数含み、
前記第３細線片は、前記第１方向及び前記第２方向とは異なる方向に延び、前記第１細線片の１つ及び前記第２細線片の１つのうち少なくとも１つに接続部で接続されて電気的に繋がる、請求項１乃至９のいずれか１項に記載の検出装置。
【請求項１１】
前記検出電極に対して静電容量を有し、駆動信号を印加するための複数の駆動電極をさらに備える、請求項１乃至１０のいずれか１項に記載の検出装置。
【請求項１２】
前記検出電極のみの自己静電容量の変化を検出する、請求項１乃至１０のいずれか１項に記載の検出装置。
【請求項１３】
基板と、前記基板の表面と平行な面に延在する、金属材料で第１端部と第２端部とを直線で結んだ第１細線片及び第２細線片をそれぞれ複数含み、少なくとも前記第１細線片の１つと前記第２細線片の１つが接続部で接続されて電気的に繋がる、導電性細線を複数備える検出電極とを有し、前記導電性細線に含まれる、第１方向に延びる前記第１細線片と、前記第１方向と異なる第２方向に延びる前記第２細線片とが交差してなす角度が一定であり、かつ、異なる前記導電性細線上の前記第１細線片同士の距離が一定ではなく、前記検出電極に備えられた複数の前記導電性細線のうち、異なる導電性細線上の隣り合う前記第１細線片同士の距離がランダムである、外部近接物体を検出可能な検出装置と、
前記基板の表面と平行な面に、複数の色領域で構成される画素が行列状に配置される表示領域とを備え、
前記表示領域と前記検出電極とは基板の垂直な方向に重なり合う、表示装置。
【請求項１４】
複数の前記色領域のうち、人間の視感度が最も高い色領域が並ぶ方向を画素配列方向とし、前記基板の表面と平行な面上において前記画素配列方向に対して直交する画素直交方向における、前記画素１つ分の最大長さを第１単位長さとし、前記画素配列方向と平行な方向における、前記画素１つ分の最大長さを第２単位長さとした場合、
前記第１細線片又は前記第２細線片は、前記画素配列方向に対して角度を有する方向に延び、当該角度の正接値は、前記第１単位長さの値を前記第２単位長さの２倍の値で除した値より大きく、前記第１単位長さの２倍の値を前記第２単位長さの値で除した値より小さい範囲にあり、かつ前記第１単位長さの値を前記第２単位長さの値で除した値とは異なる、請求項１３に記載の表示装置。
【請求項１５】
前記第１単位長さの整数倍の倍数の値と、前記第２単位長さの整数倍の倍数の値は、３以上の値である、請求項１４に記載の表示装置。
【請求項１６】
前記第１単位長さの整数倍の倍数の値と、前記第２単位長さの整数倍の倍数の値との差は、１である、請求項１５に記載の表示装置。
【請求項１７】
前記表示領域に設けられた複数の画素電極と、
前記画素電極と対向して設けられ、複数に分割された駆動電極と、
画像信号に基づいて、前記複数の画素電極と前記駆動電極との間に表示用駆動電圧を印加する制御装置と、
前記駆動電極と対向する前記検出電極と、
前記検出電極に接続された検出部と、を備え、
前記制御装置は、複数の前記駆動電極のうち駆動信号を供給する駆動電極を選択して走査し、前記検出電極の静電容量の変化で、前記検出部が外部近接物体を検出可能とする、請求項１３乃至１６のいずれか１項に記載の表示装置。
【発明の詳細な説明】
【技術分野】
【０００１】
本発明は、外部近接物体を検出可能な検出装置に係り、特に静電容量の変化に基づいて外部近接物体を検出可能な検出装置及び表示装置に関する。
【背景技術】
【０００２】
近年、いわゆるタッチパネルと呼ばれる、外部近接物体を検出可能な検出装置が注目されている。タッチパネルは、液晶表示装置等の表示装置上に装着又は一体化される、タッチ検出機能付き表示装置に用いられている。そして、タッチ検出機能付き表示装置は、表示装置に各種のボタン画像等を表示させることにより、タッチパネルを通常の機械式ボタンの代わりとして情報入力を可能としている。このようなタッチパネルを有する、タッチ検出機能付き表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式として、光学式、抵抗式、静電容量式などいくつかの方式が存在する。静電容量式のタッチ検出装置は、携帯端末などに用いて、比較的単純な構造をもち、かつ低消費電力が実現できる。例えば、特許文献１には、透光性電極パターンの不可視化対策がされたタッチパネルが記載されている。
【０００４】
さらに、外部近接物体を検出可能な検出装置では、薄型化、大画面化又は高精細化のため、検出電極の低抵抗化が求められている。検出電極は、透光性電極の材料としてＩＴＯ（Indium  Tin  Oxide）等の透光性導電酸化物が用いられている。検出電極を低抵抗にするには、金属材料などの導電性材料を用いることが有効である。しかし、金属材料などの導電性材料を用いると、表示装置の画素と金属材料などの導伝性材料との干渉によりモアレが視認される可能性がある。
【先行技術文献】
【特許文献】
【０００５】
【特許文献１】特開２０１０−１９７５７６号公報
【特許文献２】特開２０１４−０４１５８９号公報
【発明の概要】
【発明が解決しようとする課題】
【０００６】
そこで、特許文献２には、検出電極が金属材料などの導電性材料の検出電極を用いても、モアレが視認される可能性を低減できる検出装置が記載されている。特許文献２に記載の検出装置では、モアレが視認される可能性を低減できるものの、可視光が入射すると複数の検出電極で回折又は散乱する光強度パターンが複数の散在する光の点に近くなり、光の点が視認される可能性がある。
【０００７】
本発明は、かかる問題点に鑑みてなされたもので、その目的は、金属材料などの導電性材料の検出電極を用いつつ、複数の散在する光の点が視認される可能性を低減できる、外部近接物体を検出可能な検出装置及び表示装置を提供することにある。
【課題を解決するための手段】
【０００８】
第１の態様によれば、外部近接物体を検出可能な検出装置であって、基板と、前記基板の表面と平行な面に延在する、金属材料で第１端部と第２端部とを直線で結んだ第１細線片及び第２細線片をそれぞれ複数含み、少なくとも前記第１細線片の１つと前記第２細線片の１つが接続部で接続されて、複数の前記細線片同士が電気的に繋がる、導電性細線を複数備える検出電極とを有し、前記導電性細線に含まれる、第１方向に延びる前記第１細線片と、前記第１方向と異なる第２方向に延びる前記第２細線片とが交差してなす角度が一定であり、かつ、異なる前記導電性細線上の前記第１細線片同士の距離が一定ではない。
【０００９】
第２の態様によれば、表示装置は、基板と、前記基板の表面と平行な面に延在する、金属材料で第１端部と第２端部とを直線で結んだ第１細線片及び第２細線片をそれぞれ複数含み、少なくとも前記第１細線片の１つと前記第２細線片の１つが接続部で接続されて、複数の前記細線片同士が電気的に繋がる、導電性細線を複数備える検出電極とを有し、前記導電性細線に含まれる、第１方向に延びる前記第１細線片と、前記第１方向と異なる第２方向に延びる前記第２細線片とが交差してなす角度が一定であり、かつ、異なる前記導電性細線上の前記第１細線片同士の距離が一定ではない、外部近接物体を検出可能な検出装置と、前記基板の表面と平行な面に、複数の色領域で構成される画素が行列状に配置される表示領域とを備え、前記表示領域と前記検出電極とは基板の垂直な方向に重なり合う。
【図面の簡単な説明】
【００１０】
【図１】図１は、実施形態１に係るタッチ検出機能付き表示装置の一構成例を表すブロック図である。
【図２】図２は、静電容量型タッチ検出方式の基本原理を説明するため、指が接触又は近接していない状態を表す説明図である。
【図３】図３は、図２に示す指が接触又は近接していない状態の等価回路の例を示す説明図である。
【図４】図４は、静電容量型タッチ検出方式の基本原理を説明するため、指が接触又は近接した状態を表す説明図である。
【図５】図５は、図４に示す指が接触又は近接した状態の等価回路の例を示す説明図である。
【図６】図６は、駆動信号及びタッチ検出信号の波形の一例を表す図である。
【図７】図７は、タッチ検出機能付き表示装置を実装したモジュールの一例を示す図である。
【図８】図８は、タッチ検出機能付き表示装置を実装したモジュールの一例を示す図である。
【図９】図９は、実施形態１に係るタッチ検出機能付き表示装置の概略断面構造を表す断面図である。
【図１０】図１０は、実施形態１に係るタッチ検出機能付き表示装置の画素配置を表す回路図である。
【図１１】図１１は、実施形態１に係るタッチ検出機能付き表示装置の駆動電極及び検出電極の一構成例を表す斜視図である。
【図１２】図１２は、実施形態１に係るタッチ検出機能付き表示装置の一動作例を表すタイミング波形図である。
【図１３】図１３は、実施形態１に係る検出電極の配置を表す模式図である。
【図１４】図１４は、実施形態１の変形例１に係る細線片の第１端部と第２端部との相対的な位置関係を説明する模式図である。
【図１５】図１５は、実施形態１の変形例１に係るタッチ検出機能付き表示装置に対するモアレ評価を示した図である。
【図１６】図１６は、実施形態１の変形例２に係る細線片の第１端部と第２端部との相対的な位置関係を説明する模式図である。
【図１７】図１７は、実施形態１の変形例２に係るタッチ検出機能付き表示装置に対するモアレ評価を示した図である。
【図１８】図１８は、実施形態２に係る検出電極の配置を表す模式図である。
【図１９】図１９は、実施形態２の変形例１に係る検出電極の配置の一部を表す模式図である。
【図２０】図２０は、実施形態２の変形例２に係る検出電極の配置の一部を表す模式図である。
【図２１】図２１は、実施形態３に係る検出電極の配置の一部を表す模式図である。
【図２２】図２２は、実施形態３の変形例１に係る検出電極の配置の一部を表す模式図である。
【図２３】図２３は、実施形態４に係るタッチ検出機能付き表示装置の概略断面構造を表す断面図である。
【図２４】図２４は、実施形態４の変形例１に係るタッチ検出機能付き表示装置の概略断面構造を表す断面図である。
【図２５】図２５は、実施形態４の変形例２に係るタッチ検出機能付き表示装置の概略断面構造を表す断面図である。
【発明を実施するための形態】
【００１１】
以下、発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
（実施形態１）
図１は、実施形態１に係るタッチ検出機能付き表示装置の一構成例を表すブロック図である。情報処理装置１は、タッチ検出機能付き表示装置１０と、制御部１１と、ゲートドライバ１２と、ソースドライバ１３と、駆動電極ドライバ１４と、タッチ検出部４０とを備えている。タッチ検出機能付き表示装置１０は、表示素子として液晶表示素子を用いている液晶表示装置２０と静電容量型の検出装置３０とを一体化した装置である。なお、タッチ検出機能付き表示装置１０は、表示素子として液晶表示素子を用いている液晶表示装置２０の上に、静電容量型の検出装置３０を装着した装置であってもよい。なお、液晶表示装置２０は、例えば、有機ＥＬ表示装置であってもよい。
【００１３】
液晶表示装置２０は、後述するように、ゲートドライバ１２から供給される走査信号Ｖｓｃａｎに従って、１水平ラインずつ順次走査して表示を行う装置である。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路（制御装置）である。
【００１４】
ゲートドライバ１２は、制御部１１から供給される制御信号に基づいて、タッチ検出機能付き表示装置１０の表示駆動の対象となる１水平ラインを順次選択する機能を有している。
【００１５】
ソースドライバ１３は、制御部１１から供給される制御信号Ｖｓｉｇに基づいて、タッチ検出機能付き表示装置１０の、後述する各副画素ＳＰｉｘに画素信号Ｖｐｉｘを供給する回路である。
【００１６】
駆動電極ドライバ１４は、制御部１１から供給される制御信号に基づいて、タッチ検出機能付き表示装置１０の、後述する駆動電極ＣＯＭＬに駆動信号Ｖｃｏｍを供給する回路である。
【００１７】
タッチ検出部４０は、制御部１１から供給される制御信号と、タッチ検出機能付き表示装置１０の検出装置３０から供給されたタッチ検出信号Ｖｄｅｔに基づいて、検出装置３０に対するタッチ（後述する接触又は近接の状態）の有無を検出し、タッチがある場合においてタッチ検出領域におけるその座標などを求める回路である。このタッチ検出部４０はタッチ検出信号増幅部４２と、Ａ／Ｄ変換部４３と、信号処理部４４と、座標抽出部４５と、検出タイミング制御部４６とを備えている。
【００１８】
タッチ検出信号増幅部４２は、検出装置３０から供給されるタッチ検出信号Ｖｄｅｔを増幅する。タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００１９】
（静電容量型タッチ検出の基本原理）
検出装置３０は、静電容量型近接検出の基本原理に基づいて動作し、タッチ検出信号Ｖｄｅｔを出力する。図１〜図６を参照して、実施形態１のタッチ検出機能付き表示装置１０におけるタッチ検出の基本原理について説明する。図２は、静電容量型タッチ検出方式の基本原理を説明するため、指が接触又は近接していない状態を表す説明図である。図３は、図２に示す指が接触又は近接していない状態の等価回路の例を示す説明図である。図４は、静電容量型タッチ検出方式の基本原理を説明するため、指が接触又は近接した状態を表す説明図である。図５は、図４に示す指が接触又は近接した状態の等価回路の例を示す説明図である。図６は、駆動信号及びタッチ検出信号の波形の一例を表す図である。
【００２０】
例えば、図２及び図４に示すように、容量素子Ｃ１、Ｃ１’は、誘電体Ｄを挟んで互いに対向配置された一対の電極、駆動電極Ｅ１及び検出電極Ｅ２を備えている。図３に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば図１に示すタッチ検出信号増幅部４２に含まれる積分回路である。
【００２１】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、後述するタッチ駆動信号Ｖｃｏｍｔに相当するものである。
【００２２】
指が接触（又は近接）していない状態（非接触状態）では、図２及び図３に示すように、容量素子Ｃ１に対する充放電に伴って、容量素子Ｃ１の容量値に応じた電流Ｉ０が流れる。図６に示すように電圧検出器ＤＥＴは、交流矩形波Ｓｇに応じた電流Ｉ０の変動を電圧の変動（実線の波形Ｖ０）に変換する。
【００２３】
一方、指が接触（又は近接）した状態（接触状態）では、図４に示すように、指によって形成される静電容量Ｃ２が検出電極Ｅ２と接している又は近傍にあることにより、駆動電極Ｅ１及び検出電極Ｅ２の間にあるフリンジ分の静電容量が遮られ、容量素子Ｃ１の容量値よりも容量値の小さい容量素子Ｃ１’として作用する。そして、図５に示す等価回路でみると、容量素子Ｃ１’に電流Ｉ１が流れる。図６に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００２４】
図１に示す検出装置３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２５】
検出装置３０は、複数の後述する検出電極ＴＤＬから、図３又は図５に示す電圧検出器ＤＥＴを介して、検出ブロック毎にタッチ検出信号Ｖｄｅｔを出力し、タッチ検出部４０のＡ／Ｄ変換部４３に供給するようになっている。
【００２６】
Ａ／Ｄ変換部４３は、駆動信号Ｖｃｏｍに同期したタイミングで、タッチ検出信号増幅部４２から出力されるアナログ信号をそれぞれサンプリングしてデジタル信号に変換する回路である。
【００２７】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、検出装置３０に対するタッチの有無を検出する論理回路である。信号処理部４４は、指による差分の電圧のみ取り出す処理を行う。この指による差分の電圧は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の電圧を所定のしきい値電圧と比較し、このしきい値電圧以上であれば、外部から近接する外部近接物体の接触状態と判断し、しきい値電圧未満であれば、外部近接物体の非接触状態と判断する。このようにして、タッチ検出部４０はタッチ検出が可能となる。
【００２８】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００２９】
（モジュール）
図７及び図８は、タッチ検出機能付き表示装置を実装したモジュールの一例を示す図である。図７に示すように、情報処理装置１は、モジュールへ実装するにあたり、ガラス基板のＴＦＴ基板２１上に上述した駆動電極ドライバ１４を形成してもよい。
【００３０】
図７に示すように、情報処理装置１は、タッチ検出機能付き表示装置１０と、駆動電極ドライバ１４と、ＣＯＧ（Chip  On  Glass）１９Ａとを有している。このタッチ検出機能付き表示装置１０は、後述するＴＦＴ基板２１の表面に対する垂直方向において、駆動電極ＣＯＭＬと、駆動電極ＣＯＭＬと立体交差するように形成された検出電極ＴＤＬとを模式的に示している。つまり、駆動電極ＣＯＭＬは、タッチ検出機能付き表示装置１０の１辺に沿う方向に形成されており、検出電極ＴＤＬは、タッチ検出機能付き表示装置１０の他辺に沿う方向に形成されている。検出電極ＴＤＬの出力は、タッチ検出機能付き表示装置１０の前記他辺側に設けられ、フレキシブル基板などにより構成された端子部Ｔを介して、このモジュールの外部に実装されたタッチ検出部４０と接続されている。駆動電極ドライバ１４は、ガラス基板であるＴＦＴ基板２１に形成されている。ＣＯＧ１９Ａは、ＴＦＴ基板２１に実装されたチップであり、図１に示した制御部１１、ゲートドライバ１２、ソースドライバ１３など、表示動作に必要な各回路を内蔵したものである。また、図８に示すように、情報処理装置１は、ＣＯＧ（Chip  On  Glass）に駆動電極ドライバ１４を内蔵してもよい。
【００３１】
図８に示すように、情報処理装置１は、モジュールはＣＯＧ１９Ｂを有している。図８に示すＣＯＧ１９Ｂは、上述した表示動作に必要な各回路に加え、駆動電極ドライバ１４をさらに内蔵したものである。情報処理装置１は、後述するように、表示動作の際に、１水平ラインずつ線順次走査を行う。つまり、情報処理装置１は、表示走査を、タッチ検出機能付き表示装置１０の１辺に沿う方向と平行に行う。一方、情報処理装置１は、タッチ検出動作の際に、駆動電極ＣＯＭＬに駆動信号Ｖｃｏｍを順次印加することにより、１検出ラインずつ線順次走査が行われる。つまり、情報処理装置１は、タッチ検出走査を、タッチ検出機能付き表示装置１０の他辺に沿う方向と平行に行う。
【００３２】
（タッチ検出機能付き表示装置）
次に、タッチ検出機能付き表示装置１０の構成例を詳細に説明する。図９は、実施形態１に係るタッチ検出機能付き表示装置の概略断面構造を表す断面図である。図１０は、実施形態１に係るタッチ検出機能付き表示装置の画素配置を表す回路図である。タッチ検出機能付き表示装置１０は、画素基板２と、この画素基板２の表面に垂直な方向に対向して配置された対向基板３と、画素基板２と対向基板３との間に挿設された液晶層６とを備えている。
【００３３】
画素基板２は、回路基板としてのＴＦＴ基板２１と、このＴＦＴ基板２１上に行列状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。ＴＦＴ基板２１には、図１０に示す各副画素ＳＰｉｘの薄膜トランジスタ（ＴＦＴ；Thin  Film  Transistor）素子Ｔｒ、図９に示す各画素電極２２に画素信号Ｖｐｉｘを供給する信号線ＳＧＬ、各ＴＦＴ素子Ｔｒを駆動する走査線ＧＣＬ等の配線が形成されている。このように、信号線ＳＧＬは、ＴＦＴ基板２１の表面と平行な平面に延在し、画素に画像を表示するための画素信号Ｖｐｉｘを供給する。図１０に示す液晶表示装置２０は、行列状に配置した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は信号線ＳＧＬに接続され、ゲートは走査線ＧＣＬに接続され、ソース又はドレインの他方は液晶素子ＬＣの一端に接続されている。液晶素子ＬＣは、例えば、一端がＴＦＴ素子Ｔｒのドレインに接続され、他端が駆動電極ＣＯＭＬに接続されている。
【００３４】
図１０に示す副画素ＳＰｉｘは、走査線ＧＣＬにより、液晶表示装置２０の同じ行に属する他の副画素ＳＰｉｘと互いに接続されている。走査線ＧＣＬは、ゲートドライバ１２と接続され、ゲートドライバ１２より走査信号Ｖｓｃａｎが供給される。また、副画素ＳＰｉｘは、信号線ＳＧＬにより、液晶表示装置２０の同じ列に属する他の副画素ＳＰｉｘと互いに接続されている。信号線ＳＧＬは、ソースドライバ１３と接続され、ソースドライバ１３より画素信号Ｖｐｉｘが供給される。さらに、副画素ＳＰｉｘは、駆動電極ＣＯＭＬにより、液晶表示装置２０の同じ行に属する他の副画素ＳＰｉｘと互いに接続されている。駆動電極ＣＯＭＬは、駆動電極ドライバ１４と接続され、駆動電極ドライバ１４より駆動信号Ｖｃｏｍが供給される。つまり、この例では、同じ一行に属する複数の副画素ＳＰｉｘが１本の駆動電極ＣＯＭＬを共有するようになっている。実施形態１の駆動電極ＣＯＭＬの延びる方向は、走査線ＧＣＬの延びる方向と平行である。実施形態１の駆動電極ＣＯＭＬの延びる方向は、限定されず、例えば、駆動電極ＣＯＭＬの延びる方向は、信号線ＳＧＬの延びる方向と平行な方向であってもよい。
【００３５】
図１に示すゲートドライバ１２は、走査信号Ｖｓｃａｎを、図１０に示す走査線ＧＣＬを介して、画素ＰｉｘのＴＦＴ素子Ｔｒのゲートに印加することにより、液晶表示装置２０に行列状に形成されている副画素ＳＰｉｘのうちの１行（１水平ライン）を表示駆動の対象として順次選択する。図１に示すソースドライバ１３は、画素信号Ｖｐｉｘを、図１０に示す信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図７及び図８に示す、所定の本数の駆動電極ＣＯＭＬからなるブロック毎に駆動電極ＣＯＭＬを駆動する。
【００３６】
上述したように、液晶表示装置２０は、ゲートドライバ１２が走査線ＧＣＬを時分割的に線順次走査するように駆動することにより、１水平ラインが順次選択される。また、液晶表示装置２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含むブロックに対して駆動信号Ｖｃｏｍを印加するようになっている。
【００３７】
実施形態１に係る駆動電極ＣＯＭＬは、液晶表示装置２０の駆動電極として機能するとともに、検出装置３０の駆動電極としても機能する。図１１は、実施形態１に係るタッチ検出機能付き表示装置の駆動電極及び検出電極の一構成例を表す斜視図である。図１１に示す駆動電極ＣＯＭＬは、図９に示すように、ＴＦＴ基板２１の表面に対する垂直方向において、画素電極２２に対向している。検出装置３０は、画素基板２に設けられた駆動電極ＣＯＭＬと、対向基板３に設けられた検出電極ＴＤＬにより構成されている。検出電極ＴＤＬは、駆動電極ＣＯＭＬの電極パターンの延在方向と交差する方向に延びるストライプ状の電極パターンから構成されている。そして、検出電極ＴＤＬは、ＴＦＴ基板２１の表面に対する垂直な方向において、駆動電極ＣＯＭＬと対向している。検出電極ＴＤＬの各電極パターンは、タッチ検出部４０のタッチ検出信号増幅部４２の入力にそれぞれ接続されている。駆動電極ＣＯＭＬと検出電極ＴＤＬにより互いに交差した電極パターンは、その交差部分に静電容量を生じさせている。なお、検出電極ＴＤＬ又は駆動電極ＣＯＭＬ（駆動電極ブロック）は、ストライプ状に複数に分割される形状に限られない。例えば、検出電極ＴＤＬ又は駆動電極ＣＯＭＬ（駆動電極ブロック）は、櫛歯形状であってもよい。あるいは検出電極ＴＤＬ又は駆動電極ＣＯＭＬ（駆動電極ブロック）は、複数に分割されていればよく、駆動電極ＣＯＭＬを分割するスリットの形状は直線であっても、曲線であってもよい。検出電極ＴＤＬは、ＴＦＴ基板２１の表面に対する垂直方向において、駆動電極ＣＯＭＬと立体交差又は対向していればよい。このため、検出電極ＴＤＬは、対向基板３に設けられず、別の基板に設けるようにしてもよい。
【００３８】
この構成により、検出装置３０においてタッチ検出動作を行う際、駆動電極ドライバ１４が、駆動電極ブロックを時分割的に線順次走査するように駆動する。これにより、スキャン方向Ｓｃａｎに駆動電極ＣＯＭＬの１検出ブロックが順次選択される。そして、検出電極ＴＤＬからタッチ検出信号Ｖｄｅｔを出力する。このように検出装置３０は、１検出ブロックのタッチ検出が行われるようになっている。つまり、駆動電極ブロックは、上述したタッチ検出の基本原理における駆動電極Ｅ１に対応し、検出電極ＴＤＬは、検出電極Ｅ２に対応するものであり、検出装置３０はこの基本原理に従ってタッチを検出するようになっている。図１１に示すように、互いに交差した電極パターンは、静電容量式タッチセンサを行列状に構成している。よって、検出装置３０のタッチ検出面全体にわたって走査することにより、外部近接物体の接触又は近接が生じた位置の検出も可能となっている。
【００３９】
液晶層６は、電界の状態に応じてそこを通過する光を変調するものであり、例えば、ＦＦＳ（フリンジフィールドスイッチング）又はＩＰＳ（インプレーンスイッチング）等の横電界モードの液晶を用いた液晶表示装置が用いられる。なお、図９に示す液晶層６と画素基板２との間、及び液晶層６と対向基板３との間には、それぞれ配向膜が配設されてもよい。
【００４０】
対向基板３は、ガラス基板３１と、このガラス基板３１の一方の面に形成されたカラーフィルタ３２とを含む。ガラス基板３１の他方の面には、検出装置３０の検出電極である検出電極ＴＤＬが形成され、さらに、この検出電極ＴＤＬの上には、偏光板３５が配設されている。
【００４１】
図９に示すカラーフィルタ３２は、例えば赤（Ｒ）、緑（Ｇ）、青（Ｂ）の３色に着色されたカラーフィルタの色領域を周期的に配置して、上述した図１０に示す各副画素ＳＰｉｘにＲ、Ｇ、Ｂの３色の色領域３２Ｒ、３２Ｇ、３２Ｂ（図１０参照）が対応付けられ、色領域３２Ｒ、３２Ｇ、３２Ｂを１組として画素Ｐｉｘを構成している。画素Ｐｉｘは、走査線ＧＣＬに平行な方向及び信号線ＳＧＬに平行な方向に沿って行列状に配置され、後述する表示領域Ａｄを形成する。カラーフィルタ３２は、ＴＦＴ基板２１と垂直な方向において、液晶層６と対向する。このように、副画素ＳＰｉｘは、単色の色表示を行うことができる。なお、カラーフィルタ３２は、異なる色に着色されていれば、他の色の組み合わせであってもよい。また、カラーフィルタ３２は、なくてもよい。このように、カラーフィルタ３２が存在しない領域、すなわち着色しない副画素ＳＰｉｘがあってもよい。
【００４２】
続いて、実施形態１のタッチ検出機能付き表示装置１０の動作及び作用について説明する。
【００４３】
駆動電極ＣＯＭＬは、液晶表示装置２０の共通駆動電極として機能するとともに、検出装置３０の駆動電極としても機能するため、駆動信号Ｖｃｏｍが互いに影響を及ぼす可能性がある。このため、駆動電極ＣＯＭＬは、表示動作を行う表示期間Ｂと、タッチ検出動作を行うタッチ検出期間Ａとに分けて駆動信号Ｖｃｏｍが印加される。駆動電極ドライバ１４は、表示動作を行う表示期間Ｂにおいては表示駆動信号として駆動信号Ｖｃｏｍを印加する。そして、駆動電極ドライバ１４は、タッチ検出動作を行うタッチ検出期間Ａにおいてはタッチ駆動信号として駆動信号Ｖｃｏｍを印加する。以下の説明では、表示駆動信号としての駆動信号Ｖｃｏｍを、表示駆動信号Ｖｃｏｍｄとして記載し、タッチ駆動信号としての駆動信号Ｖｃｏｍを、タッチ駆動信号Ｖｃｏｍｔとして記載する。
【００４４】
制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらがお互いに同期して動作するように制御する。ゲートドライバ１２は、表示期間Ｂにおいて、液晶表示装置２０に走査信号Ｖｓｃａｎを供給し、表示駆動の対象となる１水平ラインを順次選択する。ソースドライバ１３は、表示期間Ｂにおいて、ゲートドライバ１２により選択された１水平ラインを構成する各画素Ｐｉｘに、画素信号Ｖｐｉｘを供給する。
【００４５】
表示期間Ｂでは、駆動電極ドライバ１４が１水平ラインに係る駆動電極ブロックに表示駆動信号Ｖｃｏｍｄを印加し、タッチ検出期間Ａでは、駆動電極ドライバ１４がタッチ検出動作に係る駆動電極ブロックに対してタッチ駆動信号Ｖｃｏｍｔを順次印加し、１検出ブロックを順次選択する。タッチ検出機能付き表示装置１０は、表示期間Ｂにおいて、ゲートドライバ１２、ソースドライバ１３、及び駆動電極ドライバ１４により供給された信号に基づいて表示動作を行う。タッチ検出機能付き表示装置１０は、タッチ検出期間Ａにおいて、駆動電極ドライバ１４により供給された信号に基づいてタッチ検出動作を行い、検出電極ＴＤＬからタッチ検出信号Ｖｄｅｔを出力する。タッチ検出信号増幅部４２は、タッチ検出信号Ｖｄｅｔを増幅して出力する。Ａ／Ｄ変換部４３は、タッチ駆動信号Ｖｃｏｍｔに同期したタイミングで、タッチ検出信号増幅部４２から出力されるアナログ信号をデジタル信号に変換する。信号処理部４４は、Ａ／Ｄ変換部４３の出力信号に基づいて、検出装置３０に対するタッチの有無を検出する。座標抽出部４５は、信号処理部４４においてタッチ検出がなされたときに、そのタッチパネル座標を求める。
【００４６】
次に、タッチ検出機能付き表示装置１０の詳細動作を説明する。図１２は、実施形態１に係るタッチ検出機能付き表示装置の一動作例を表すタイミング波形図である。図１２に示すように、液晶表示装置２０は、ゲートドライバ１２から供給される走査信号Ｖｓｃａｎに従って、走査線ＧＣＬのうちの、隣接する（ｎ−１）行目、ｎ行目、（ｎ＋１）行目の走査線ＧＣＬの１水平ラインずつ順次走査して表示を行う。同様に、駆動電極ドライバ１４は、制御部１１から供給される制御信号に基づいて、タッチ検出機能付き表示装置１０の、駆動電極ＣＯＭＬのうちの、隣接する（ｍ−１）列目、ｍ列目、（ｍ＋１）列目に供給する。
【００４７】
このように、タッチ検出機能付き表示装置１０では、１表示水平期間（１Ｈ）毎に、タッチ検出動作（タッチ検出期間Ａ）と表示動作（表示期間Ｂ）を時分割的に行う。タッチ検出動作では、１表示水平期間１Ｈ毎に、異なる駆動電極ＣＯＭＬを選択して駆動信号Ｖｃｏｍを印加することにより、タッチ検出の走査を行う。以下に、その動作を詳細に説明する。
【００４８】
まず、ゲートドライバ１２が、（ｎ−１）行目の走査線ＧＣＬに対して走査信号Ｖｓｃａｎを印加し、走査信号Ｖｓｃａｎ（ｎ−１）が低レベルから高レベルに変化する。これにより、１表示水平期間１Ｈが開始する。
【００４９】
次に、タッチ検出期間Ａにおいて、駆動電極ドライバ１４が、（ｍ−１）列目の駆動電極ＣＯＭＬに対して駆動信号Ｖｃｏｍを印加し、駆動信号Ｖｃｏｍ（ｍ−１）が低レベルから高レベルに変化する。この駆動信号Ｖｃｏｍ（ｍ−１）は、静電容量を介して検出電極ＴＤＬに伝わり、タッチ検出信号Ｖｄｅｔが変化する。次に、駆動信号Ｖｃｏｍ（ｍ−１）が高レベルから低レベルに変化すると、タッチ検出信号Ｖｄｅｔは同様に変化する。このタッチ検出期間Ａにおけるタッチ検出信号Ｖｄｅｔの波形は、上述したタッチ検出の基本原理における、タッチ検出信号Ｖｄｅｔに対応するものである。Ａ／Ｄ変換部４３は、このタッチ検出期間Ａにおけるタッチ検出信号ＶｄｅｔをＡ／Ｄ変換することによりタッチ検出を行う。これにより、タッチ検出機能付き表示装置１０では、１検出ラインのタッチ検出が行われる。
【００５０】
次に、表示期間Ｂにおいて、ソースドライバ１３が、信号線ＳＧＬに対して画素信号Ｖｐｉｘを印加し、１水平ラインに対する表示を行う。なお、図１２に示したように、この画素信号Ｖｐｉｘの変化が、寄生容量を介して検出電極ＴＤＬに伝わり、タッチ検出信号Ｖｄｅｔが変化し得るが、表示期間ＢではＡ／Ｄ変換部４３がＡ／Ｄ変換を行わないようにすることにより、この画素信号Ｖｐｉｘの変化のタッチ検出に対する影響を抑えることができる。ソースドライバ１３による画素信号Ｖｐｉｘの供給が終了したのち、ゲートドライバ１２が、（ｎ−１）行目の走査線ＧＣＬの走査信号Ｖｓｃａｎ（ｎ−１）を高レベルから低レベルに変化させ、１表示水平期間が終了する。
【００５１】
次に、ゲートドライバ１２は、先ほどとは異なるｎ行目の走査線ＧＣＬに対して走査信号Ｖｓｃａｎを印加し、走査信号Ｖｓｃａｎ（ｎ）が低レベルから高レベルに変化する。これにより、次の１表示水平期間が開始する。
【００５２】
次のタッチ検出期間Ａにおいて、駆動電極ドライバ１４が、先ほどとは異なるｍ列目の駆動電極ＣＯＭＬに対して駆動信号Ｖｃｏｍを印加する。そして、タッチ検出信号Ｖｄｅｔの変化を、Ａ／Ｄ変換部４３がＡ／Ｄ変換することにより、この１検出ラインのタッチ検出が行われる。
【００５３】
次に、表示期間Ｂにおいて、ソースドライバ１３が、信号線ＳＧＬに対して画素信号Ｖｐｉｘを印加し、１水平ラインに対する表示を行う。また、駆動電極ドライバ１４が表示駆動信号Ｖｃｏｍｄを駆動電極ＣＯＭＬに共通電位として印加している。ここで、表示駆動信号Ｖｃｏｍｄの電位は、例えば、タッチ検出期間Ａにおけるタッチ駆動信号Ｖｃｏｍｔの低レベルの電位となっている。なお、実施形態１のタッチ検出機能付き表示装置１０はドット反転駆動を行うため、ソースドライバ１３が印加する画素信号Ｖｐｉｘは、前の１表示水平期間のものと比べて、その極性が反転している。この表示期間Ｂが終了した後、この１表示水平期間１Ｈが終了する。
【００５４】
これ以降、上述した動作を繰り返すことにより、タッチ検出機能付き表示装置１０は、表示面全面にわたる走査により表示動作を行うとともに、タッチ検出面全面にわたる走査によりタッチ検出動作を行う。
【００５５】
タッチ検出機能付き表示装置１０では、１表示水平期間（１Ｈ）において、タッチ検出動作はタッチ検出期間Ａに行い、表示動作は表示期間Ｂに行うようにしている。このように、タッチ検出動作と表示動作とを別々の期間に行うようにしたので、同じ１表示水平期間において表示動作とタッチ検出動作の両方を行うことができるとともに、表示動作のタッチ検出に対する影響を抑えることができる。
【００５６】
（検出電極）
図１３は、実施形態１に係る検出電極ＴＤＬの配置を表す模式図である。図１３に示すように、実施形態１に係る検出電極ＴＤＬは、対向基板３と平行な平面上に、全体を俯瞰してみれば方向Ｄａに延在する複数の導電性細線ＭＬ１、ＭＬ２、ＭＬ３、ＭＬ５、ＭＬ６、ＭＬ７を含む。各導電性細線ＭＬ１、ＭＬ２、ＭＬ３、ＭＬ５、ＭＬ６、ＭＬ７は、接続部ＴＤＣ１、ＴＤＣ２、ＴＤＣ３、ＴＤＣ４、ＴＤＣ５で折り返すジグザグ線又は波線である。このように、導電性細線ＭＬ１、ＭＬ２、ＭＬ３、ＭＬ５、ＭＬ６、ＭＬ７は、接続部ＴＤＣ１、ＴＤＣ２、ＴＤＣ３、ＴＤＣ４、ＴＤＣ５のそれぞれが屈曲部となっている。
【００５７】
導電性細線ＭＬ１、ＭＬ２、ＭＬ３、ＭＬ５、ＭＬ６、ＭＬ７は、同じ材料で形成される。導電性細線ＭＬ１、ＭＬ２及びＭＬ３は、導電性細線ＭＬ１の端部ＭＬ１ｅ、導電性細線ＭＬ２の端部ＭＬ２ｅ及び導電性細線ＭＬ３の端部ＭＬ３ｅで第１導通部ＴＤＢ１を介して接続され導通している。導電性細線ＭＬ１、ＭＬ２及びＭＬ３は、第１導通部ＴＤＢ１で接続する部分を除いて互いに交差する部分を有さないように延在し、検出領域ＴＤＡに属する。また、導電性細線ＭＬ５、ＭＬ６及びＭＬ７は、導電性細線ＭＬ５の端部ＭＬ５ｅ、導電性細線ＭＬ６の端部ＭＬ６ｅ及び導電性細線ＭＬ７の端部ＭＬ７ｅで第１導通部ＴＤＢ１を介して接続され導通している。導電性細線ＭＬ５、ＭＬ６及びＭＬ７は、第１導通部ＴＤＢ１で接続する部分を除いて互いに交差する部分を有さないように延在し、検出領域ＴＤＡに属する。
【００５８】
複数の検出領域ＴＤＡは、互いに一定の間隔を有して延在している。複数の検出領域ＴＤＡは、第１導通部ＴＤＢ１同士が第２導通部ＴＤＢ２を介して接続され導通している。第２導通部ＴＤＢ２は、検出配線ＴＤＧを介して図１に示すタッチ検出部４０に接続される。また、第１導通部ＴＤＢ１及び第２導通部ＴＤＢ２は、導電性細線ＭＬ１、ＭＬ２、ＭＬ３、ＭＬ５、ＭＬ６、ＭＬ７と同じ材料で形成される。上記の構成により、導電性細線数を減らせると同時に、一定の範囲に対して複数の導電性細線ＭＬ１、ＭＬ２、ＭＬ３、ＭＬ５、ＭＬ６、ＭＬ７で検出を行うため、検出を行う際の抵抗を低くすることができる。なお、検出領域ＴＤＡは、４本以上の導電性細線を含んでもよいし、１本又は２本の導電性細線を含んでもよい。
【００５９】
図１３に示すように、複数の検出領域ＴＤＡは、互いに一定の間隔を有して配置されている。検出電極ＴＤＬの導電性細線ＭＬ１、ＭＬ２、ＭＬ３、ＭＬ５、ＭＬ６、ＭＬ７が配置される領域と、検出電極ＴＤＬの導電性細線ＭＬ１、ＭＬ２、ＭＬ３、ＭＬ５、ＭＬ６、ＭＬ７がない領域とでは、遮光性に差があるので、検出電極ＴＤＬが視認されやすくなる可能性がある。このため、対向基板３には、検出配線ＴＤＧに接続されていないダミー電極として、導電性細線ＭＬ４が隣り合う検出領域ＴＤＡの間に配置されている。ダミー電極の導電性細線ＭＬ４は、検出電極ＴＤＬの導電性細線ＭＬ１、ＭＬ２、ＭＬ３、ＭＬ５、ＭＬ６、ＭＬ７と同じ材料で形成される。ダミー電極の導電性細線ＭＬ４は、導電性細線ＭＬ１、ＭＬ２、ＭＬ３、ＭＬ５、ＭＬ６、ＭＬ７と同程度の遮光性を有していれば、異なる材料であってもよい。
【００６０】
上述したように、検出電極ＴＤＬは、駆動電極ＣＯＭＬの電極パターンの延在方向と交差する方向（方向Ｄａ）に延び、全体的にはストライプ状の電極パターンとみることができる。駆動電極ＣＯＭＬの電極パターンの延在方向には、図１３に示す検出電極ＴＤＬが複数並んでいるので、隣り合う検出電極ＴＤＬ間も導電性細線ＭＬ１、ＭＬ２、ＭＬ３、ＭＬ５、ＭＬ６、ＭＬ７がない領域になる可能性がある。このため、隣り合う検出電極ＴＤＬ間にも、ダミー電極の導電性細線ＭＬ４と同じ導電性細線を配置してもよい。
【００６１】
導電性細線ＭＬ１は、細線片Ｕａ及び細線片Ｕｂを含む。導電性細線ＭＬ１は、端部ＭＬ１ｅから方向Ｄａに向かって細線片Ｕａ、細線片Ｕｂ、細線片Ｕａ、細線片Ｕｂ、細線片Ｕａ、細線片Ｕｂの順に接続されている。細線片Ｕａは第１方向Ｆａに延びており、Ｕｂは、第２方向Ｆｂに延びている。細線片Ｕａ及びＵｂが延びる方向は、互いに異なる方向である。細線片Ｕａは、導電性材料のパターンであり、第１端部Ｕａ１と第２端部Ｕａ２を含む。細線片Ｕｂは、導電性材料のパターンであり、第１端部Ｕｂ１と第２端部Ｕｂ２を含む。
【００６２】
細線片Ｕａと細線片Ｕｂとは、細線片Ｕａの第２端部Ｕａ２と細線片Ｕｂの第１端部Ｕｂ１とが接続され導通している。導電性細線ＭＬ１が端部ＭＬ１ｅから方向Ｄａに向かって細線片Ｕａ、細線片Ｕｂ、細線片Ｕａ、細線片Ｕｂ、細線片Ｕａ、細線片Ｕｂの順に接続されている。当該接続される部分は、接続部ＴＤＣ１である。また、細線片Ｕｂと細線片Ｕａとは、細線片Ｕｂの第２端部Ｕｂ２と細線片Ｕａの第１端部Ｕａ１とが接続され導通している。当該接続される部分は、接続部ＴＤＣ２である。
【００６３】
細線片Ｕａ同士は平行に延びており、細線片Ｕｂ同士も平行に延びているため、細線片Ｕａ及び細線片Ｕｂがなす角度θ１と、細線片Ｕｂ及び細線片Ｕａがなす角度θ２とは同じになる。ダミー電極の導電性細線ＭＬ４は、分割部ＴＤＤＳにおいて、細線片Ｕａの延長線と細線片Ｕｂの延長線とが仮想点ＴＤＣ６でなす角度は、同じく角度θ１である。同様に、細線片Ｕｂの延長線と細線片Ｕａの延長線とが仮想点ＴＤＣ７でなす角度は、同じく角度θ２である。
【００６４】
導電性細線ＭＬ２は、細線片Ｕａ及び細線片Ｕｂを含む。導電性細線ＭＬ２は、端部ＭＬ２ｅから方向Ｄａに向かって細線片Ｕａ、細線片Ｕｂ、細線片Ｕａ、細線片Ｕｂ、細線片Ｕａ、細線片Ｕｂの順に接続されている。導電性細線ＭＬ２は、２つの端部ＭＬ２ｅと導電性細線ＭＬ１の２つの端部ＭＬ１ｅとを重ねたとき、導電性細線ＭＬ１と重ならない部分を含む。このため、導電性細線ＭＬ２は、導電性細線ＭＬ１と異なる形状である。
【００６５】
導電性細線ＭＬ３は、細線片Ｕａ及び細線片Ｕｂを含む。導電性細線ＭＬ３は、端部ＭＬ３ｅから方向Ｄａに向かって細線片Ｕａ、細線片Ｕｂ、細線片Ｕａ、細線片Ｕｂ、細線片Ｕａ、細線片Ｕｂの順に接続されている。導電性細線ＭＬ３は、２つの端部ＭＬ３ｅと導電性細線ＭＬ１の２つの端部ＭＬ１ｅとを重ねたとき、導電性細線ＭＬ１と重ならない部分を含む。導電性細線ＭＬ３は、２つの端部ＭＬ３ｅと導電性細線ＭＬ２の２つの端部ＭＬ２ｅとを重ねたとき、導電性細線ＭＬ２と重ならない部分を含む。このため、導電性細線ＭＬ３は、導電性細線ＭＬ１及び導電性細線ＭＬ２と異なる形状である。
【００６６】
導電性細線ＭＬ１、ＭＬ２及びＭＬ３は、それぞれの細線片Ｕａ及び細線片Ｕｂのなす角度θ１が同じである。また、導電性細線ＭＬ１、ＭＬ２及びＭＬ３は、端部ＭＬ１ｅ、ＭＬ２ｅ、ＭＬ３ｅに接続する各細線片Ｕａの長さが異なるが、細線片Ｕｂに挟まれて接続する細線片Ｕａの長さは同じである。導電性細線ＭＬ１、ＭＬ２及びＭＬ３は、第１導通部ＴＤＢ１に直接接続する各細線片Ｕｂの長さが異なるが、細線片Ｕａに挟まれて接続する細線片Ｕｂの長さは同じである。これにより、導電性細線ＭＬ１、ＭＬ２及びＭＬ３は、それぞれが有する接続部ＴＤＣ１の方向Ｄａの位置を比較すると異なっている。例えば、接続部ＴＤＣ１の方向Ｄａの位置の差は、１μｍ以上１５μｍ以下である。導電性細線ＭＬ１、ＭＬ２及びＭＬ３は、同様にそれぞれが有する接続部ＴＤＣ２、ＴＤＣ３、ＴＤＣ４、ＴＤＣ５の方向Ｄａの位置を比較すると異なっている。
【００６７】
導電性細線ＭＬ１、ＭＬ２及びＭＬ３は、端部ＭＬ１ｅ、ＭＬ２ｅ、ＭＬ３ｅに接続する各細線片Ｕａの長さを同じとし、細線片Ｕｂに挟まれて接続する細線片Ｕａの長さの１以上を異ならせてもよい。これにより、導電性細線ＭＬ１、ＭＬ２及びＭＬ３は、それぞれが有する接続部ＴＤＣ１同士、ＴＤＣ２同士、ＴＤＣ３同士、ＴＤＣ４同士、ＴＤＣ５同士の方向Ｄａの位置を比較すると、異ならせることができる。
【００６８】
図１３に示すように、導電性細線ＭＬ１の１つの細線片Ｕａと導電性細線ＭＬ２の１つの細線片Ｕａとの距離Ｗａ１１は、導電性細線ＭＬ１の１つの細線片Ｕｂと導電性細線ＭＬ２の１つの細線片Ｕｂとの距離Ｗｂ２１と異なる。また、距離Ｗｂ２１は、導電性細線ＭＬ１の１つの細線片Ｕａと導電性細線ＭＬ２の１つの細線片Ｕａとの距離Ｗａ３１と異なる。また、距離Ｗａ３１は、導電性細線ＭＬ１の１つの細線片Ｕｂと導電性細線ＭＬ２の１つの細線片Ｕｂとの距離Ｗｂ４１と異なる。隣接する導電性細線ＭＬ１、ＭＬ２間の距離は、方向Ｄａでみて、距離Ｗａ１１、距離Ｗｂ２１、距離Ｗａ３１、距離Ｗｂ４１のように、一定ではない。
【００６９】
同様に、導電性細線ＭＬ２の１つの細線片Ｕａと導電性細線ＭＬ３の１つの細線片Ｕａとの距離Ｗａ１２は、導電性細線ＭＬ２の１つの細線片Ｕｂと導電性細線ＭＬ３の１つの細線片Ｕｂとの距離Ｗｂ２２と異なる。また、距離Ｗｂ２２は、導電性細線ＭＬ２の１つの細線片Ｕａと導電性細線ＭＬ３の１つの細線片Ｕａとの距離Ｗａ３２と異なる。また、距離Ｗａ３２は、導電性細線ＭＬ２の１つの細線片Ｕｂと導電性細線ＭＬ３の１つの細線片Ｕｂとの距離Ｗｂ４２と異なる。隣接する導電性細線ＭＬ２、ＭＬ３間の距離は、方向Ｄａでみて、距離Ｗａ１２、距離Ｗｂ２２、距離Ｗａ３２、距離Ｗｂ４２のように、一定ではない。
【００７０】
上述したように、導電性細線ＭＬ４は、細線片Ｕａ及び細線片Ｕｂを含む。また、ダミー電極の導電性細線ＭＬ４は、細線片Ｕａと細線片Ｕｂとの間及び細線片Ｕｂと細線片Ｕａとの間に、導電性の金属材料がないスリットである分割部ＴＤＤＳを有する。分割部ＴＤＤＳは、細線片Ｕａと細線片Ｕｂとの電気的な導通及び細線片Ｕｂと細線片Ｕａとの電気的な導通を妨げ、検出電極ＴＤＬとの容量差を生じさせる。このため、タッチ検出の際、指が導電性細線ＭＬ３又は導電性細線ＭＬ５と、ダミー電極の導電性細線ＭＬ４との両方に近接した場合でも、ダミー電極ＴＤＤが、図６で示した絶対値｜ΔＶ｜に与える影響を小さくすることができる。このように、ダミー電極の導電性細線ＭＬ４は、分割部ＴＤＤＳを含むことにより、検出電極ＴＤＬに対して静電容量の差が生じるため、タッチ検出の精度への影響を小さくできる。
【００７１】
導電性細線ＭＬ４は、端部ＭＬ４ｅから方向Ｄａに向かって細線片Ｕａ、細線片Ｕｂ、細線片Ｕａ、細線片Ｕｂ、細線片Ｕａ、細線片Ｕｂの順に並べられている。細線片Ｕａは第１方向Ｆａに延びており、Ｕｂは、第２方向Ｆｂに延びている。これより、検出電極ＴＤＬが配置される領域と、検出電極ＴＤＬが配置されない領域との遮光性の差が小さくなるため、検出電極ＴＤＬが視認される可能性を低減できる。
【００７２】
図１３に示すように、導電性細線ＭＬ３の１つの細線片Ｕａと導電性細線ＭＬ４の１つの細線片Ｕａとの距離Ｗａ１３は、導電性細線ＭＬ３の１つの細線片Ｕｂと導電性細線ＭＬ４の１つの細線片Ｕｂとの距離Ｗｂ２３と異なる。また、距離Ｗｂ２３は、導電性細線ＭＬ３の１つの細線片Ｕａと導電性細線ＭＬ４の１つの細線片Ｕａとの距離Ｗａ３３と異なる。また、距離Ｗａ３３は、導電性細線ＭＬ３の１つの細線片Ｕｂと導電性細線ＭＬ４の１つの細線片Ｕｂとの距離Ｗｂ４３と異なる。隣接する導電性細線ＭＬ３、ＭＬ４間の距離は、方向Ｄａでみて、距離Ｗａ１３、距離Ｗｂ２３、距離Ｗａ３３、距離Ｗｂ４３のように、一定ではない。そして、隣接する導電性細線ＭＬ３、ＭＬ４間の距離は、方向Ｄａでみて、規則性がなく、ランダムな値をとる。
【００７３】
導電性細線ＭＬ５は、細線片Ｕａ及び細線片Ｕｂを含む。導電性細線ＭＬ５は、端部ＭＬ５ｅから方向Ｄａに向かって細線片Ｕａ、細線片Ｕｂ、細線片Ｕａ、細線片Ｕｂ、細線片Ｕａ、細線片Ｕｂの順に接続されている。導電性細線ＭＬ５は、２つの端部ＭＬ５ｅと導電性細線ＭＬ１の２つの端部ＭＬ１ｅとを重ねたとき、導電性細線ＭＬ１と重ならない部分を含む。このため、導電性細線ＭＬ５は、導電性細線ＭＬ１と異なる形状である。例えば、導電性細線ＭＬ５は、方向Ｄａに並ぶ細線片Ｕａ、細線片Ｕｂ、細線片Ｕａ、細線片Ｕｂ、細線片Ｕａ、細線片Ｕｂのそれぞれの各長さが、導電性細線ＭＬ１における方向Ｄａに並ぶ対応する細線片Ｕａ、細線片Ｕｂ、細線片Ｕａ、細線片Ｕｂ、細線片Ｕａ、細線片Ｕｂのそれぞれの各長さと異なる部分がある。
【００７４】
導電性細線ＭＬ６は、細線片Ｕａ及び細線片Ｕｂを含む。導電性細線ＭＬ６は、端部ＭＬ６ｅから方向Ｄａに向かって細線片Ｕａ、細線片Ｕｂ、細線片Ｕａ、細線片Ｕｂ、細線片Ｕａ、細線片Ｕｂの順に接続されている。導電性細線ＭＬ６は、２つの端部ＭＬ６ｅと導電性細線ＭＬ５の２つの端部ＭＬ５ｅとを重ねたとき、導電性細線ＭＬ５と重ならない部分を含む。このため、導電性細線ＭＬ６は、導電性細線ＭＬ５と異なる形状である。
【００７５】
導電性細線ＭＬ７は、細線片Ｕａ及び細線片Ｕｂを含む。導電性細線ＭＬ７は、端部ＭＬ７ｅから方向Ｄａに向かって細線片Ｕａ、細線片Ｕｂ、細線片Ｕａ、細線片Ｕｂ、細線片Ｕａ、細線片Ｕｂの順に接続されている。導電性細線ＭＬ７は、２つの端部ＭＬ７ｅと導電性細線ＭＬ６の２つの端部ＭＬ６ｅとを重ねたとき、導電性細線ＭＬ６と重ならない部分を含む。導電性細線ＭＬ７は、２つの端部ＭＬ７ｅと導電性細線ＭＬ５の２つの端部ＭＬ５ｅとを重ねたとき、導電性細線ＭＬ５と重ならない部分を含む。このため、導電性細線ＭＬ７は、導電性細線ＭＬ５及び導電性細線ＭＬ６と異なる形状である。
【００７６】
導電性細線ＭＬ５、ＭＬ６及びＭＬ７は、それぞれの細線片Ｕａ及び細線片Ｕｂのなす角度θ１が同じである。また、導電性細線ＭＬ５、ＭＬ６及びＭＬ７は、端部ＭＬ５ｅ、ＭＬ６ｅ、ＭＬ７ｅに接続する各細線片Ｕａの長さが異なるが、細線片Ｕｂに挟まれて接続する細線片Ｕａの長さも異なる。導電性細線ＭＬ５、ＭＬ６及びＭＬ７は、第１細線片Ｕａの第１端部Ｕａ１と第１細線片Ｕａの第２端部Ｕａ２とを直線で結んだ長さがランダムに異なる。また、導電性細線ＭＬ５、ＭＬ６及びＭＬ７は、第２細線片Ｕｂの第１端部Ｕｂ１と第２細線片Ｕｂの第２端部Ｕｂ２とを直線で結んだ長さがランダムに異なる。これにより、導電性細線ＭＬ５、ＭＬ６及びＭＬ７は、それぞれが有する接続部ＴＤＣ１の方向Ｄａの位置を比較すると異なっている。例えば、接続部ＴＤＣ１の方向Ｄａの位置の差は、１μｍ以上１５μｍ以下である。導電性細線ＭＬ５、ＭＬ６及びＭＬ７は、同様にそれぞれが有する接続部ＴＤＣ２同士、ＴＤＣ３同士、ＴＤＣ４同士、ＴＤＣ５同士の方向Ｄａの位置を比較すると異なっている。
【００７７】
導電性細線ＭＬ５、ＭＬ６及びＭＬ７は、導電性細線ＭＬ１、ＭＬ２及びＭＬ３と同様に、端部ＭＬ１ｅ、ＭＬ２ｅ、ＭＬ３ｅに接続する各細線片Ｕａの長さが異なるが、細線片Ｕｂに挟まれて接続する細線片Ｕａの長さは同じとしてもよい。
【００７８】
図１３に示すように、導電性細線ＭＬ４の１つの細線片Ｕａと導電性細線ＭＬ５の１つの細線片Ｕａとの距離Ｗａ１４は、導電性細線ＭＬ４の１つの細線片Ｕｂと導電性細線ＭＬ５の１つの細線片Ｕｂとの距離Ｗｂ２４と異なる。また、距離Ｗｂ２４は、導電性細線ＭＬ４の１つの細線片Ｕａと導電性細線ＭＬ５の１つの細線片Ｕａとの距離Ｗａ３４と異なる。また、距離Ｗａ３４は、導電性細線ＭＬ４の１つの細線片Ｕｂと導電性細線ＭＬ５の１つの細線片Ｕｂとの距離Ｗｂ４４と異なる。隣接する導電性細線ＭＬ４、ＭＬ５間の距離は、方向Ｄａでみて、距離Ｗａ１４、距離Ｗｂ２４、距離Ｗａ３４、距離Ｗｂ４４のように、一定ではない。そして、隣接する導電性細線ＭＬ４、ＭＬ５間の距離は、方向Ｄａでみて、規則性がなく、ランダムな値をとる。
【００７９】
同様に、導電性細線ＭＬ５の１つの細線片Ｕａと導電性細線ＭＬ６の１つの細線片Ｕａとの距離Ｗａ１５は、導電性細線ＭＬ５の１つの細線片Ｕｂと導電性細線ＭＬ６の１つの細線片Ｕｂとの距離Ｗｂ２５と異なる。また、距離Ｗｂ２５は、導電性細線ＭＬ５の１つの細線片Ｕａと導電性細線ＭＬ６の１つの細線片Ｕａとの距離Ｗａ３５と異なる。また、距離Ｗａ３５は、導電性細線ＭＬ５の１つの細線片Ｕｂと導電性細線ＭＬ６の１つの細線片Ｕｂとの距離Ｗｂ４５と異なる。隣接する導電性細線ＭＬ５、ＭＬ６間の距離は、方向Ｄａでみて、距離Ｗａ１５、距離Ｗｂ２５、距離Ｗａ３５、距離Ｗｂ４５のように、一定ではない。そして、隣接する導電性細線ＭＬ５、ＭＬ６間の距離は、方向Ｄａでみて、規則性がなく、ランダムな値をとる。
【００８０】
同様に、導電性細線ＭＬ６の１つの細線片Ｕａと導電性細線ＭＬ７の１つの細線片Ｕａとの距離Ｗａ１６は、導電性細線ＭＬ６の１つの細線片Ｕｂと導電性細線ＭＬ７の１つの細線片Ｕｂとの距離Ｗｂ２６と異なる。また、距離Ｗｂ２６は、導電性細線ＭＬ６の１つの細線片Ｕａと導電性細線ＭＬ７の１つの細線片Ｕａとの距離Ｗａ３６と異なる。また、距離Ｗａ３６は、導電性細線ＭＬ６の１つの細線片Ｕｂと導電性細線ＭＬ７の１つの細線片Ｕｂとの距離Ｗｂ４６と異なる。隣接する導電性細線ＭＬ６、ＭＬ７間の距離は、方向Ｄａでみて、距離Ｗａ１６、距離Ｗｂ２６、距離Ｗａ３６、距離Ｗｂ４６のように、一定ではない。そして、隣接する導電性細線ＭＬ６、ＭＬ７間の距離は、方向Ｄａでみて、規則性がなく、ランダムな値をとる。
【００８１】
また、細線片Ｕａ及び細線片Ｕｂの幅は、３μｍ以上かつ１０μｍ以下の範囲にあることが好ましい。細線片Ｕａ及び細線片Ｕｂの幅は、１０μｍ以下であると、表示領域Ａｄのうちブラックマトリックス又は走査線ＧＣＬ及び信号線ＳＧＬで光の透過を抑制されない開口部を覆う面積が小さくなり、開口率を損なう可能性が低くなるためである。また、細線片Ｕａ及び細線片Ｕｂの幅は、３μｍ以上であると、形状が安定し、断線する可能性が低くなるためである。細線片Ｕａ及び細線片Ｕｂの幅が３μｍ未満である場合、断線への対策のため、隣り合う導電性細線の同士が接続され導通してもよい。
【００８２】
検出電極ＴＤＬの導電性細線ＭＬ１、ＭＬ２、ＭＬ３、ＭＬ４、ＭＬ５、ＭＬ６、ＭＬ７は、導電性の金属材料であって、アルミニウム（Ａｌ）、銅（Ｃｕ）、銀（Ａｇ）、モリブデン（Ｍｏ）、クロム（Ｃｒ）、タングステン（Ｗ）、これらの合金の金属材料で形成される。又は、検出電極ＴＤＬの導電性細線ＭＬ１、ＭＬ２、ＭＬ３、ＭＬ４、ＭＬ５、ＭＬ６、ＭＬ７は、アルミニウム（Ａｌ）、銅（Ｃｕ）、銀（Ａｇ）、モリブデン（Ｍｏ）、クロム（Ｃｒ）、タングステン（Ｗ）、これらの酸化物（金属酸化物）で形成され、導電性を有している。導電性細線ＭＬ１、ＭＬ２、ＭＬ３、ＭＬ４、ＭＬ５、ＭＬ６、ＭＬ７は、上述した金属材料と、上述した金属酸化物とを１以上積層した積層体でパターニングされていてもよい。導電性細線ＭＬ１、ＭＬ２、ＭＬ３、ＭＬ４、ＭＬ５、ＭＬ６、ＭＬ７は、上述した金属材料又は金属酸化物と、透光性電極の材料としてＩＴＯ（Indium  Tin  Oxide）等の透光性導電酸化物とを１以上積層した積層体でパターニングされていてもよい。導電性細線ＭＬ１、ＭＬ２、ＭＬ３、ＭＬ４、ＭＬ５、ＭＬ６、ＭＬ７は、透光性電極の材料としてＩＴＯ（Indium  Tin  Oxide）等の透光性導電酸化物よりも低抵抗である。導電性細線ＭＬ１、ＭＬ２、ＭＬ３、ＭＬ４、ＭＬ５、ＭＬ６、ＭＬ７の材料は、同じ膜厚での透過率がＩＴＯ（Indium  Tin  Oxide）の透過率よりも低い。例えば、導電性細線ＭＬ１、ＭＬ２、ＭＬ３、ＭＬ４、ＭＬ５、ＭＬ６、ＭＬ７の材料は、透過率が１０％以下であってもよい。
【００８３】
画素Ｐｉｘは、上記のように、走査線ＧＣＬに平行な方向及び信号線ＳＧＬに平行な方向に沿って行列状に配置されている。走査線ＧＣＬ及び信号線ＳＧＬがブラックマトリックスで覆われている場合は、ブラックマトリックスが光の透過を抑制する。走査線ＧＣＬ及び信号線ＳＧＬがブラックマトリックスで覆われていない場合は、走査線ＧＣＬ及び信号線ＳＧＬが光の透過を抑制する。実施形態１において走査線ＧＣＬに平行な方向に沿った複数の直線状の模様であって、周期性を有する模様が、表示領域Ａｄ上に現れやすくなる。また、信号線ＳＧＬに平行な方向に沿った複数の直線によって、周期性を有する模様が、表示領域Ａｄ上に現れやすくなる。このため、表示領域Ａｄの表面に対して垂直な方向に、検出電極ＴＤＬを重ねた場合、表示領域Ａｄ上に現れる模様と検出電極ＴＤＬが干渉し明暗模様を形成することで、モアレが視認される可能性がある。
【００８４】
実施形態１において、隣り合う導電性細線ＭＬ１及び導電性細線ＭＬ２の形状が異なり、隣り合う導電性細線ＭＬ３及び導電性細線ＭＬ４の形状が異なる。このように、導電性細線ＭＬ１から導電性細線ＭＬ７のうち隣り合う導電性細線の形状が異なるため、導電性細線ＭＬ１、ＭＬ２、ＭＬ３、ＭＬ４、ＭＬ５、ＭＬ６、ＭＬ７と上記の表示領域Ａｄ上に現れる模様とがなす角度は、場所によって異なる。したがって、実施形態１においては、上記の明暗模様が一定の周期を有しにくくなり、モアレが視認される可能性が低減する。
【００８５】
実施形態１において、導電性細線ＭＬ１、導電性細線ＭＬ２及び導電性細線ＭＬ３とを第１導通部ＴＤＢ１を介して組み合わせた形状と、導電性細線ＭＬ５、導電性細線ＭＬ６及び導電性細線ＭＬ７とを第１導通部ＴＤＢ１を介して組み合わせた形状とが異なる形状である。このため、導電性細線ＭＬ１、ＭＬ２、ＭＬ３、ＭＬ５、ＭＬ６、ＭＬ７と上記の表示領域Ａｄ上に現れる模様とがなす角度は、場所によって異なる。したがって、実施形態１に係る検出装置は、上記の明暗模様が一定の周期を有しにくくなり、モアレが視認される可能性を低減できる。
【００８６】
特許文献１に記載の技術では、可視光が入射すると複数の検出電極で回折又は散乱する光強度パターンが複数の散在する光の点に近くなる。視認者が検出装置自体を傾けることで、散在する複数の光強度パターンの光の点の位置又は数を変えることができるが、複数の光強度パターンの光の点の視認を低減させることが難しい。特許文献１に記載の技術では、隣り合う細線片ａ及び細線片ｂのなす角度がランダムである。このため、視認者が検出装置自体を傾けることで、新たな回折又は散乱が生じやすく、散在する複数の光強度パターンの光の点が発現しやすいと考えられる。
【００８７】
これに対して、実施形態１の導電性細線ＭＬ１、ＭＬ２、ＭＬ３、ＭＬ４、ＭＬ５、ＭＬ６、ＭＬ７のうち１つの導電性細線の全体で、隣り合う細線片ａ及び細線片ｂのなす角度θ１及び角度θ２が一定である。このため、導電性細線ＭＬ１、ＭＬ２、ＭＬ３、ＭＬ４、ＭＬ５、ＭＬ６、ＭＬ７に、可視光が入射すると、それぞれの導電性細線ＭＬ１、ＭＬ２、ＭＬ３、ＭＬ４、ＭＬ５、ＭＬ６、ＭＬ７で回折又は散乱する光強度パターンが拡散しずらくなる。このため、それぞれの導電性細線ＭＬ１、ＭＬ２、ＭＬ３、ＭＬ４、ＭＬ５、ＭＬ６、ＭＬ７で回折又は散乱する光強度パターンが４方向に集まりやすく、一定の指向性が発現しやすい。そして、視認者が実施形態１に係る検出装置自体を傾けることで、光強度パターンが発現しやすい角度を回避しやすくなる。その結果、導電性細線ＭＬ１、ＭＬ２、ＭＬ３、ＭＬ４、ＭＬ５、ＭＬ６、ＭＬ７で回折又は散乱する光強度パターンは、視認しにくくなる。
【００８８】
以上説明したように、実施形態１に係る検出装置は、外部近接物体を検出可能であって、対向基板３と、検出電極ＴＤＬとを含む。検出電極ＴＤＬは、複数の導電性細線ＭＬ１、ＭＬ２、ＭＬ３、ＭＬ４、ＭＬ５、ＭＬ６、ＭＬ７を含む。導電性細線ＭＬ１、ＭＬ２、ＭＬ３、ＭＬ５、ＭＬ６、ＭＬ７は、金属材料で第１端部Ｕａ１と第２端部Ｕａ２とを直線で結んだ第１の細線片Ｕａと、金属材料で第１端部Ｕｂ１と第２端部Ｕｂ２とを直線で結んだ第２の細線片Ｕｂとをそれぞれ複数含む。導電性細線ＭＬ１、ＭＬ２、ＭＬ３、ＭＬ５、ＭＬ６、ＭＬ７は、第１の細線片Ｕａの１つと第２の細線片Ｕｂの１つが接続部で接続されて連続して繋がり、対向基板３の表面と平行な面に延在する。そして、１つの第１の細線片Ｕａの延びる第１方向Ｆａと、第１方向Ｆａと異なる方向であって１つの第２の細線片Ｕｂの延びる第２方向Ｆｂが交差してなす角度θ１又は角度θ２が１つの導電性細線の全体で一定である。また、異なる導電性細線上にあって、隣り合う第１の細線片Ｕａ同士の距離が一定ではない。これにより、隣り合う複数本の導電性細線同士のうち、少なくとも隣接するいずれか２本間の距離が、他の隣接するいずれかの２本間の距離と異なる。
【００８９】
これにより、明暗模様が一定の周期を有しにくくなり、モアレが視認される可能性を低減できる。また、検出電極ＴＤＬで回折又は散乱する光強度パターンが視認されにくい。
【００９０】
さらには、上述のような構成に加えて、検出電極ＴＤＬに含まれる複数の前記導電性細線に含まれる角度θ１又は角度θ２の全てが一定であることが好ましい。このような構成によれば、モアレの視認を抑制できると共に、検出電極ＴＤＬにより回折又は散乱する光強度パターンによるギラツキが視認されることを抑制できる。
【００９１】
また、隣り合う第１の細線片Ｕａ同士の距離が所定方向（方向Ｄａ）の位置によってランダムに異なるようにすると、明暗模様が一定の周期を有しにくくなり、モアレが視認される可能性を低減できる。
【００９２】
以上説明したように、タッチ検出機能付き表示装置１０は、表示領域Ａｄに設けられた複数の画素電極２２と、画素電極２２と対向して設けられ、複数に分割された駆動電極ＣＯＭＬと、を備える。制御部１１は、表示動作を行う表示期間Ｂにおいて、映像信号Ｖｄｉｓｐに基づいて、複数の画素電極２２と駆動電極ＣＯＭＬとの間に表示用駆動電圧を印加する。制御部１１は、タッチ検出動作を行うタッチ検出期間Ａにおいて、複数の駆動電極ＣＯＭＬのうち駆動信号を供給する駆動電極ＣＯＭＬを選択して走査し、検出電極ＴＤＬの静電容量の変化で、タッチ検出部４０が外部近接物体を検出可能とする。
【００９３】
（実施形態１の変形例１）
図１４は、実施形態１の変形例１に係る細線片の第１端部と第２端部との相対的な位置関係を説明する模式図である。実施形態１の変形例１において、細線片Ｕａ及び細線片Ｕｂの延びる方向が画素Ｐｉｘの配列によって規定される、図１３に示した検出電極ＴＤＬである。具体的には、細線片Ｕａ及び細線片Ｕｂの延びる方向は、図１４に示す画素配列方向Ｄｙに対してなす角度で規定される。また、検出電極ＴＤＬが延在する方向Ｄａは、図１４に示す画素配列方向Ｄｙと平行である。
【００９４】
図１４に示す画素配列方向Ｄｙと画素直交方向Ｄｘについて説明する。上述したように、表示領域Ａｄは、各副画素ＳＰｉｘに色領域３２Ｒ、３２Ｇ、３２Ｂが対応付けられ、色領域３２Ｒ、３２Ｇ、３２Ｂを１組とした画素Ｐｉｘを複数含む。複数の画素Ｐｉｘは、走査線ＧＣＬに平行な方向及び信号線ＳＧＬに平行な方向に沿って行列状に配置される。また、画素Ｐｉｘは、色領域３２Ｒ、３２Ｇ、３２Ｂがそれぞれ走査線ＧＣＬを挟んで隣り合うように配置する。
【００９５】
画素配列方向Ｄｙは、人間の視感度が最も高い色領域が並ぶ方向である。画素直交方向Ｄｘは、対向基板３の表面と平行な平面上において画素配列方向Ｄｙに対して直交する方向である。Ｒ（赤）、Ｇ（緑）、Ｂ（青）の３色のなかでは、人間の視感度が最も高い色はＧ（緑）である。図１４で、色領域３２Ｇが並ぶのは信号線ＳＧＬと平行な方向であるため、実施形態１の変形例１において画素配列方向Ｄｙは信号線ＳＧＬと平行な方向となる。
【００９６】
例として、細線片Ｕｂの第１端部Ｕｂ１と第２端部Ｕｂ２との相対的な位置関係の説明のため、図１４において、走査線ＧＣＬと信号線ＳＧＬの交差部のうちで任意の点を原点Ｐ００とし、原点Ｐ００の座標を（０，０）とするｘｙ座標を定義する。画素直交方向Ｄｘと平行な方向にｘ軸を設定し、画素配列方向Ｄｙと平行な方向にｙ軸を設定する。ｘ方向の画素Ｐｉｘ１つ分の最大長さをｘ方向の単位長さとし、ｙ方向の画素Ｐｉｘ１つ分の最大長さをｙ方向の単位長さとする。ｘ方向の画素Ｐｉｘ１つ分の最大長さは、第１単位長さＬｘ１であり、ｙ方向の画素Ｐｉｘ１つ分の最大長さは、第２単位長さＬｙ１である。例えば、実施形態１の変形例１に係る第１単位長さＬｘ１と第２単位長さＬｙ１の比は、１：１である。
【００９７】
例えば、原点Ｐ００からｘ方向に第１単位長さＬｘ１進み、さらにｙ方向に第２単位長さＬｙ１進んだ点の座標は（１，１）となる。このｘｙ座標において、点Ｐ０１は、座標が（０，１）の点である。点Ｐ１５は、座標が（１，５）の点である。点Ｐ１４は、座標が（１，４）の点である。点Ｐ１３は、座標が（１，３）の点である。点Ｐ１２は、座標が（１，２）の点である。点Ｐ３５は、座標が（３，５）の点である。点Ｐ２３は、座標が（２，３）の点である。点Ｐ３４は、座標が（３，４）の点である。点Ｐ４５は、座標が（４，５）の点である。点Ｐ５６は、座標が（５，６）の点である。点Ｐ１１は、座標が（１，１）の点である。点Ｐ６５は、座標が（６，５）の点である。点Ｐ５４は、座標が（５，４）の点である。点Ｐ４３は、座標が（４，３）の点である。点Ｐ３２は、座標が（３，２）の点である。点Ｐ５３は、座標が（５，３）の点である。点Ｐ２１は、座標が（２，１）の点である。点Ｐ３１は、座標が（３，１）の点である。点Ｐ４１は、座標が（４，１）の点である。点Ｐ５１は、座標が（５，１）の点である。点Ｐ１０は、座標が（１，０）の点である。
【００９８】
（画素配列方向Ｄｙに対する角度に関する評価例）
ここで、細線片Ｕｂの第１端部Ｕｂ１を点Ｐ００の位置としたときの、第２端部Ｕｂ２
が位置する方向を変化させて、モアレの視認について評価を行った。以下、評価結果は、図１５に示す評価例１から２１として説明する。
【００９９】
［評価］
モアレ評価は、評価例１から評価例２１に対応するタッチ検出機能付き表示装置１０の表示画像を、人間の目で見た場合のモアレの見え方を４段階に評価している。具体的には、モアレ評価の基準は、タッチ検出機能付き表示装置１の表面と人間の目との距離が３０ｃｍ未満でもモアレが視認できない場合を二重丸（◎）としている。また、モアレ評価の基準は、タッチ検出機能付き表示装置１０と人間の目との距離が３０ｃｍ以上であればモアレが視認できない場合を丸（○）としている。また、モアレ評価の基準は、タッチ検出機能付き表示装置１０と人間の目との距離が６０ｃｍ以上であればモアレが視認できない場合を三角（△）としている。そして、モアレ評価の基準は、タッチ検出機能付き表示装置１０と人間の目との距離が６０ｃｍ以上であってもモアレが視認できる場合をバツ（×）としている。
【０１００】
評価例６から１０及び評価例１２から１６において、細線片Ｕｂの第２端部Ｕｂ２が第１端部Ｕｂ１から目標位置に向かう方向にある。この目標位置は第１端部Ｕｂ１に対して、画素直交方向Ｄｘにおいて第１単位長さＬｘ１の整数倍で２以上の倍数で離れ、画素配列方向Ｄｙにおいて第２単位長さＬｙ１の整数倍で２以上の倍数で離れている。評価例６から１０及び評価例１２から１６は、第１単位長さＬｘ１の整数倍の倍数の値と、第２単位長さＬｙ１の整数倍の倍数の値とは異なる、という第１条件を満たしている。そして、評価例６から１０及び評価例１２から１６においては、細線片Ｕｂの延びる方向が、画素配列方向Ｄｙに対して２７度より大きくかつ４５度未満にある角度又は４５度より大きくかつ６３度未満にある角度をなす、という条件を満たしている。そして、第１条件を満たす、実施形態１の変形例１に係る導電性細線は、図１５に示すように評価例６から１０及び評価例１２から１６の、モアレ評価が◎、○及び△であり、モアレの視認が抑制されている。
【０１０１】
また、評価例６、評価例８から１０、評価例１２から１４及び評価例１６においては、第１単位長さＬｘ１の整数倍の倍数の値と、第２単位長さＬｙ１の整数倍の倍数の値は３以上である、という第２条件を満たしている。そして、第２条件を満たす評価例６、評価例８から１０、評価例１２から１４及び評価例１６は、モアレ評価が◎又は○であり、さらにモアレの視認が抑制されている。
【０１０２】
評価例８から１０及び評価例１２から１４において、第１単位長さＬｘ１の整数倍の倍数の値と、第２単位長さＬｙ１の整数倍の倍数の値との差は１である、という第３条件を満たしている。そして、評価例８から１０及び評価例１２から１４の場合には、モアレ評価が◎であり、さらにモアレの視認が抑制されている。
【０１０３】
画素Ｐｉｘは、上記のように、走査線ＧＣＬに平行な方向及び信号線ＳＧＬに平行な方向に沿って行列状に配置されている。走査線ＧＣＬ及び信号線ＳＧＬがブラックマトリックスで覆われている場合は、ブラックマトリックスが光の透過を抑制する。走査線ＧＣＬ及び信号線ＳＧＬがブラックマトリックスで覆われていない場合は、走査線ＧＣＬ及び信号線ＳＧＬが光の透過を抑制する。実施形態１の変形例１において走査線ＧＣＬに平行な方向に沿った、画素直交方向Ｄｘと平行な複数の直線状の模様であって、周期性を有する模様が、表示領域Ａｄ上に現れやすくなる。また、信号線ＳＧＬに平行な方向に沿った、画素配列方向Ｄｙと平行な複数の直線によって、周期性を有する模様が、表示領域Ａｄ上に現れやすくなる。このため、表示領域Ａｄの表面に対して垂直な方向に、検出電極ＴＤＬを重ねた場合、表示領域Ａｄ上に現れる模様と検出電極ＴＤＬが干渉し明暗模様を形成することで、モアレが視認される可能性がある。
【０１０４】
実施形態１の変形例１においては、導電性細線ＭＬ１、ＭＬ２、ＭＬ３、ＭＬ４、ＭＬ５、ＭＬ６、ＭＬ７が、第１条件を満たす細線片Ｕｂを含むことで、明暗模様の周期が、人間が視認できない程度に短くなりやすくなる。例えば、細線片Ｕｂは、画素直交方向Ｄｘ及び画素配列方向Ｄｙに対して、角度を有して延びている。第１条件を満たせば、当該角度が一定の大きさ以上となるために、明暗模様の周期が短くなりやすい。その結果、導電性細線ＭＬ１、ＭＬ２、ＭＬ３、ＭＬ４、ＭＬ５、ＭＬ６、ＭＬ７が、第１条件を満たす細線片Ｕｂを含むことで、モアレが視認される可能性を低減できる。また、細線片Ｕａ及び細線片Ｕｂが第１条件を満たす場合、モアレが視認される可能性を低減できる。
【０１０５】
また、細線片Ｕｂが画素配列方向Ｄｙに対して角度を有する方向に延び、当該角度の正接値は、第１単位長さＬｘ１の値を第２単位長さＬｙ１の２倍の値で除した値より大きく、第１単位長さＬｘ１の２倍の値を第２単位長さＬｙ１の値で除した値より小さい範囲にあり、かつ第１単位長さＬｘ１の値を第２単位長さＬｙ１の値で除した値とは異なる。このため、細線片Ｕｂの延びる方向が画素直交方向Ｄｘ及び画素配列方向Ｄｙに対してなす角度は、一定の大きさ以上となり、明暗模様の周期が短くなりやすい。その結果、実施形態１の変形例１に係るタッチ検出機能付き表示装置１０はモアレが視認される可能性を低減できる。
【０１０６】
なお、検出電極ＴＤＬと駆動電極ＣＯＭＬとが金属材料などの導電性材料で形成される場合、電蝕が発生する可能性がある。このため、実施形態１に係るタッチ検出機能付き表示装置１０は、検出電極ＴＤＬと駆動電極ＣＯＭＬとが、ガラス基板３１の表面に対する垂直方向において、ガラス基板３１を挟んで異なる面上に位置している。これにより、実施形態１に係るタッチ検出機能付き表示装置１０は、電蝕の発生を抑えることができる。さらに、駆動電極ＣＯＭＬは、透光性の材料で形成されるのが好ましい。これにより、検出電極ＴＤＬと駆動電極ＣＯＭＬとの干渉によるモアレが視認される可能性を低減できる。
【０１０７】
さらに、駆動電極ＣＯＭＬは、ガラス基板３１の表面に垂直な方向において対向するＴＦＴ基板２１上にある。ガラス基板３１の表面と駆動電極ＣＯＭＬとが、ガラス基板３１の表面に対する垂直方向において離れている場合は、人間が視認する角度によって、表示領域Ａｄ上に現れる模様の周期と駆動電極ＣＯＭＬの配置の周期との差が変化する。しかし、ＴＦＴ基板２１上に駆動電極ＣＯＭＬを配置することで、人間が視認する角度に応じた、表示領域Ａｄ上に現れる模様の周期と駆動電極ＣＯＭＬの配置の周期との差の変化を小さくすることができる。また、実施形態１に係る駆動電極ＣＯＭＬは、上述した画素配列方向Ｄｙ又は画素直交方向Ｄｘに延在するように配置される。これにより、駆動電極ＣＯＭＬが走査線ＧＣＬに平行な方向又は信号線ＳＧＬに平行な方向に延在し、開口率が低くなる可能性を低減できる。
【０１０８】
（実施形態１の変形例２）
図１６は、実施形態１の変形例２に係る細線片の第１端部と第２端部との相対的な位置関係を説明する模式図である。実施形態１の変形例２において検出電極ＴＤＬは、細線片Ｕａ及び細線片Ｕｂの延びる方向が画素Ｐｉｘの配列によって規定される、図１３に示した検出電極ＴＤＬである。具体的には、細線片Ｕａ及び細線片Ｕｂの延びる方向は、図１６に示す画素配列方向Ｄｙに対してなす角度で規定される。また、検出電極ＴＤＬが延在する方向Ｄａは、図１６に示す画素配列方向Ｄｙと同じである。
【０１０９】
図１６に示す画素配列方向Ｄｙと画素直交方向Ｄｘについて説明する。上述したように、表示領域Ａｄは、各副画素ＳＰｉｘに色領域３２Ｒ、３２Ｇ、３２Ｂ、３２Ｗが対応付けられ、色領域３２Ｒ、３２Ｇ、３２Ｂ、３２Ｗを１組とした画素Ｐｉｘを複数含む。複数の画素Ｐｉｘは、走査線ＧＣＬに平行な方向及び信号線ＳＧＬに平行な方向に沿って行列状に配置される。また、画素Ｐｉｘは、色領域３２Ｒ、３２Ｇ、３２Ｂ、３２Ｗがそれぞれ走査線ＧＣＬを挟んで隣り合うように配置する。
【０１１０】
画素配列方向Ｄｙは、人間の視感度が最も高い色領域が並ぶ方向である。Ｒ（赤）、Ｇ（緑）、Ｂ（青）、Ｗ（白）の４色のなかでは、人間の視感度が最も高い色はＷ（白）である。図１６において、色領域３２Ｗが並ぶのは信号線ＳＧＬと平行な方向であるため、画素配列方向Ｄｙは信号線ＳＧＬと平行な方向となる。
【０１１１】
例として、細線片Ｕｂの第１端部Ｕｂ１と第２端部Ｕｂ２との相対的な位置関係の説明のため、図１６において、走査線ＧＣＬと信号線ＳＧＬの交差部のうちで任意の点を原点Ｑ００とし、原点Ｑ００の座標を（０，０）とするｘｙ座標を定義する。画素直交方向Ｄｘと平行な方向にｘ軸を設定し、画素配列方向Ｄｙと平行な方向にｙ軸を設定する。ｘ方向の画素Ｐｉｘ１つ分の最大長さをｘ方向の単位長さとし、ｙ方向の画素Ｐｉｘ１つ分の最大長さをｙ方向の単位長さとする。ｘ方向の画素Ｐｉｘ１つ分の最大長さは、第１単位長さＬｘ２であり、ｙ方向の画素Ｐｉｘ１つ分の最大長さは、第２単位長さＬｙ２である。例えば、実施形態１の変形例２に係る第１単位長さＬｘ２と第２単位長さＬｙ２の比は、４：３である。
【０１１２】
例えば、原点Ｑ００からｘ方向に第１単位長さＬｘ２進み、さらにｙ方向に第２単位長さＬｙ２進んだ点の座標は（１，１）となる。このｘｙ座標において、点Ｑ０１は、座標が（０，１）の点である。点Ｑ１５は、座標が（１，５）の点である。点Ｑ１４は、座標が（１，４）の点である。点Ｑ１３は、座標が（１，３）の点である。点Ｑ１２は、座標が（１，２）の点である。点Ｑ３５は、座標が（３，５）の点である。点Ｑ２３は、座標が（２，３）の点である。点Ｑ３４は、座標が（３，４）の点である。点Ｑ４５は、座標が（４，５）の点である。点Ｑ５６は、座標が（５，６）の点である。点Ｑ１１は、座標が（１，１）の点である。点Ｑ６５は、座標が（６，５）の点である。点Ｑ５４は、座標が（５，４）の点である。点Ｑ４３は、座標が（４，３）の点である。点Ｑ３２は、座標が（３，２）の点である。点Ｑ５３は、座標が（５，３）の点である。点Ｑ２１は、座標が（２，１）の点である。点Ｑ３１は、座標が（３，１）の点である。点Ｑ４１は、座標が（４，１）の点である。点Ｑ５１は、座標が（５，１）の点である。点Ｑ１０は、座標が（１，０）の点である。
【０１１３】
（画素配列方向Ｄｙに対する角度に関する評価例）
ここで、細線片Ｕｂの第１端部Ｕｂ１を点Ｑ００の位置としたときの、第２端部Ｕｂ２
が位置する方向を変化させて、モアレの視認について評価を行った。以下、評価結果は、図１７に示す評価例２２から４２として説明する。
【０１１４】
［評価］
モアレ評価は、評価例２２から評価例４２に対応するタッチ検出機能付き表示装置１０の表示画像を、人間の目で見た場合のモアレの見え方を４段階に評価している。具体的には、モアレ評価の基準は、タッチ検出機能付き表示装置１０の表面と人間の目との距離が３０ｃｍ未満でもモアレが視認できない場合を二重丸（◎）としている。また、モアレ評価の基準は、タッチ検出機能付き表示装置１０と人間の目との距離が３０ｃｍ以上であればモアレが視認できない場合を丸（○）としている。また、モアレ評価の基準は、タッチ検出機能付き表示装置１０と人間の目との距離が６０ｃｍ以上であればモアレが視認できない場合を三角（△）としている。そして、モアレ評価の基準は、タッチ検出機能付き表示装置１０と人間の目との距離が６０ｃｍ以上であってもモアレが視認できる場合をバツ（×）としている。
【０１１５】
評価例２７から３１及び評価例３３から３７において、細線片Ｕｂの第２端部Ｕｂ２が第１端部Ｕｂ１から目標位置に向かう方向にある。この目標位置は第１端部Ｕｂ１に対して、画素直交方向Ｄｘにおいて第１単位長さＬｘ２の整数倍で２以上の倍数で離れ、画素配列方向Ｄｙにおいて第２単位長さＬｙ２の整数倍で２以上の倍数で離れており、第１単位長さＬｘ２の整数倍の倍数の値と、第２単位長さＬｙ２の整数倍の倍数の値とは異なる、という第１条件を満たしている。そして、評価例２７から３１及び評価例３３から３７の場合には、モアレ評価が◎、○及び△であり、モアレの視認が抑制されている。
【０１１６】
評価例２７、評価例２９から３１、評価例３３から３５及び評価例３７においては、第１単位長さＬｘ２の整数倍の倍数の値と、第２単位長さＬｙ２の整数倍の倍数の値は３以上である、という第２条件を満たしている。そして、評価例２７、評価例２９から３１、評価例３３から３５及び評価例３７は、モアレ評価が◎又は○であり、さらにモアレの視認が抑制されている。
【０１１７】
評価例２９から３１及び評価例３３から３５においては、第１単位長さＬｘ２の整数倍の倍数の値と、第２単位長さＬｙ２の整数倍の倍数の値との差は１である、という第３条件を満たしている。評価例２９から３１及び評価例３３から３５の場合には、モアレ評価が◎であり、さらにモアレの視認が抑制されている。
【０１１８】
実施形態１の変形例２において、導電性細線ＭＬ１、ＭＬ２、ＭＬ３、ＭＬ４、ＭＬ５、ＭＬ６、ＭＬ７が、第２条件を満たす細線片Ｕｂを含むことで、明暗模様の周期が、人間が視認できない程度に短くなりやすくなる。例えば、細線片Ｕｂは、画素直交方向Ｄｘ及び画素配列方向Ｄｙに対して、角度を有して延びている。第２条件を満たせば、当該角度が一定の大きさ以上となるために、明暗模様の周期が短くなりやすい。その結果、導電性細線ＭＬ１、ＭＬ２、ＭＬ３、ＭＬ４、ＭＬ５、ＭＬ６、ＭＬ７が、第２条件を満たす細線片Ｕｂを含むことで、モアレが視認される可能性を低減できる。また、細線片Ｕａ及び細線片Ｕｂが第２条件を満たす場合、モアレが視認される可能性が低減する。
【０１１９】
また、細線片Ｕｂが画素配列方向Ｄｙに対して角度を有する方向に延び、当該角度の正接値は、第１単位長さＬｘ２の値を第２単位長さＬｙ２の２倍の値で除した値より大きく、第１単位長さＬｘ２の２倍の値を第２単位長さＬｙ２の値で除した値より小さい範囲にあり、かつ第１単位長さＬｘ２の値を第２単位長さＬｙ２の値で除した値とは異なる。このため、細線片Ｕｂの延びる方向が画素直交方向Ｄｘ及び画素配列方向Ｄｙに対してなす角度は、一定の大きさ以上となり、明暗模様の周期が短くなりやすい。その結果、実施形態１の変形例２に係るタッチ検出機能付き表示装置１０はモアレが視認される可能性を低減できる。
【０１２０】
（実施形態２）
図１８は、実施形態２に係る検出電極の配置の一部を表す模式図である。実施形態２に係る検出電極ＴＤＬは、対向基板３と平行な平面上に、接続部同士が交差部として接する部分を有するように延在する複数の細線片Ｕａ及び細線片Ｕｂを含む。細線片Ｕａは第１方向Ｆａに延びており、細線片Ｕｂは、第２方向Ｆｂに延びている。細線片Ｕａ及びＵｂが延びる方向は、互いに異なる方向である。細線片Ｕａは、接続部ＴＤＣ間に挟まれている。同様に細線片Ｕｂは、接続部ＴＤＣ間に挟まれている。言い換えれば、実施形態２に係る検出電極ＴＤＬは、接続部で折り返すジグザグ線又は波線である導電性細線が網状になっている。また、実施形態２は、説明のためダミー電極の記載はしていないが、実施形態１と同様に、ダミー電極があってもよい。なお、上述した実施形態１で説明したものと同じ構成要素には同一の符号を付して重複する説明は省略する。
【０１２１】
細線片Ｕａ同士は平行に延びており、細線片Ｕｂ同士も平行に延びているため、細線片Ｕａ及び細線片Ｕｂがなす角度θ１で交差する。
【０１２２】
１つの細線片Ｕａと、これと隣接する１つの細線片Ｕａとの距離Ｗａ１１は、この細線片Ｕａと次に隣接する１つの細線片Ｕａとの距離Ｗａ１２と異なる。隣接する２つの細線片Ｕａの距離は、第２方向Ｆｂでみて、距離Ｗａ１１、距離Ｗａ１２、距離Ｗａ１３、距離Ｗａ１４のように、一定ではない。
【０１２３】
同様に、１つの細線片Ｕａと、これと隣接する１つの細線片Ｕａとの距離Ｗａ２１は、この細線片Ｕａと次に隣接する１つの細線片Ｕａとの距離Ｗａ２２と異なる。隣接する２つの細線片Ｕａの距離は、第２方向Ｆｂでみて、距離Ｗａ２１、距離Ｗａ２２、距離Ｗａ２３、距離Ｗａ２４、距離Ｗａ２５のように、一定ではない。以上説明したように、そして、隣接する２つの細線片Ｕａの距離は、第２方向Ｆｂでみて、規則性がなく、ランダムな値をとる。
【０１２４】
１つの細線片Ｕｂと、これと隣接する１つの細線片Ｕｂとの距離Ｗｂ１１は、この細線片Ｕｂと次に隣接する１つの細線片Ｕｂとの距離Ｗｂ１２と異なる。隣接する２つの細線片Ｕｂの距離は、第１方向Ｆａでみて、距離Ｗｂ１１、距離Ｗｂ１２のように、一定ではない。  
【０１２５】
同様に、１つの細線片Ｕｂと、これと隣接する１つの細線片Ｕｂとの距離Ｗｂ２１は、この細線片Ｕｂと次に隣接する１つの細線片Ｕｂとの距離Ｗｂ２２と異なる。隣接する２つの細線片Ｕｂの距離は、第１方向Ｆａでみて、距離Ｗｂ２１、距離Ｗｂ２２、距離Ｗｂ２３、距離Ｗｂ２４のように、一定ではない。以上説明したように、隣接する２つの細線片Ｕｂの距離は、第１方向Ｆａでみて、規則性がなく、ランダムな値をとる。
【０１２６】
実施形態２においても実施形態１と同様に、明暗模様が一定の周期を有しにくくなり、モアレが視認される可能性を低減できる。また、実施形態２において、隣り合う細線片ａ及び細線片ｂのなす角度θ１が一定である。このため、検出電極ＴＤＬに、可視光が入射すると、検出電極ＴＤＬで回折又は散乱する光強度パターンが拡散しずらくなる。このため、光強度パターンが４方向に集まりやすく、一定の指向性が発現しやすい。そして、視認者が実施形態２に係る検出装置自体を傾けることで、光強度パターンが発現しやすい角度を回避しやすくなる。その結果、検出電極ＴＤＬで回折又は散乱する光強度パターンは、視認しにくくなる。
【０１２７】
（実施形態２の変形例１）
図１９は、実施形態２の変形例１に係る検出電極の配置の一部を表す模式図である。なお、上述した実施形態１及び実施形態２で説明したものと同じ構成要素には同一の符号を付して重複する説明は省略する。
【０１２８】
実施形態２において距離Ｗａ１１と距離Ｗａ２１とが同じであったが、実施形態２の変形例１においては、距離Ｗａ１１と距離Ｗａ２２とが異なっている。実施形態２において距離Ｗｂ１１と距離Ｗｂ２２とが同じであったが実施形態２の変形例１においては、距離Ｗｂ１１と距離Ｗｂ２１とが異なっている。このように、隣接する２つの細線片Ｕａの距離は、第２方向Ｆｂでみて、一定ではない。隣接する２つの細線片Ｕｂの距離は、第１方向Ｆａでみて、一定ではない。
【０１２９】
実施形態２の変形例１に係る検出電極は、実施形態２に係る検出電極ＴＤＬと同じ作用効果を奏する。
【０１３０】
（実施形態２の変形例２）
図２０は、実施形態２の変形例２に係る検出電極の配置の一部を表す模式図である。なお、上述した実施形態１及び実施形態２で説明したものと同じ構成要素には同一の符号を付して重複する説明は省略する。
【０１３１】
実施形態２に係る検出電極ＴＤＬは、例えば細線片Ｕａが第２方向Ｆｂに並ぶ数が位置によって同じであったが、実施形態２の変形例２では、細線片Ｕａが第２方向Ｆｂに並ぶ数が位置によって異なっている。このように、隣接する２つの細線片Ｕａの距離は、第２方向Ｆｂでみて、一定ではない。隣接する２つの細線片Ｕｂの距離は、第１方向Ｆａでみて、一定ではない。
【０１３２】
実施形態２の変形例２に係る検出電極ＴＤＬは、実施形態２に係る検出電極ＴＤＬと同じ作用効果を奏する。
【０１３３】
なお、図２０に示すように、実施形態２の変形例２に係る検出電極は、細線片Ｕａが細線片Ｕａｂと接続していない部分があってもよい。
【０１３４】
（実施形態３）
図２１は、実施形態３に係る検出電極の配置の一部を表す模式図である。実施形態３に係る検出電極ＴＤＬは、対向基板３と平行な平面上に、接続部同士が接する部分を有するように延在する複数の細線片Ｕａ、細線片Ｕｂ及び細線片Ｕｃを含む。細線片Ｕａは第１方向Ｆａに延びており、細線片Ｕｂは、第２方向Ｆｂに延びている。細線片Ｕｃは、第３方向Ｆｃに延びている。細線片Ｕａ及びＵｂが延びる方向は、互いに異なる方向である。細線片Ｕｃが延びる方向は、細線片Ｕａ及びＵｂが延びる方向と異なる。細線片Ｕａと細線片Ｕｂとは、接続部ＴＤＣ１１、１２、１３、１５、１７、１８間にそれぞれ挟まれている。言い換えれば、実施形態３に係る検出電極ＴＤＬは、細線片Ｕａと細線片Ｕｂとが接続部ＴＤＣ１１、１２、１３、１５、１７、１８のいずれかで折り返すジグザグ線又は波線である導電性細線を有する。同様に、細線片Ｕａと細線片Ｕｂとは、接続部ＴＤＣ２１、２３、２４、２５、２８、２９、３１、３３間にそれぞれ挟まれている。また、実施形態３は、説明のためダミー電極の記載はしていないが、実施形態１と同様に、ダミー電極があってもよい。なお、上述した実施形態１及び実施形態２で説明したものと同じ構成要素には同一の符号を付して重複する説明は省略する。
【０１３５】
細線片Ｕａ同士は平行に延びており、細線片Ｕｂ同士も平行に延びているため、細線片Ｕａ及び細線片Ｕｂがなす角度θ１で交差する。
【０１３６】
１つの細線片Ｕａと、これと隣接する１つの細線片Ｕａとの距離Ｗａ１１は、この細線片Ｕａと次に隣接する１つの細線片Ｕａとの距離Ｗａ１２と異なる。隣接する２つの細線片Ｕａの距離は、第２方向Ｆｂでみて、距離Ｗａ１１、距離Ｗａ１２、距離Ｗａ１３のように、一定ではない。
【０１３７】
同様に、１つの細線片Ｕａと、これと隣接する１つの細線片Ｕａとの距離Ｗａ２１は、この細線片Ｕａと次に隣接する１つの細線片Ｕａとの距離Ｗａ２２と異なる。隣接する２つの細線片Ｕａの距離は、第２方向Ｆｂでみて、距離Ｗａ２１、距離Ｗａ２２、距離Ｗａ２３のように、一定ではない。
【０１３８】
１つの細線片Ｕｂと、これと隣接する１つの細線片Ｕｂとの距離Ｗｂ１１は、この細線片Ｕｂと次に隣接する１つの細線片Ｕｂとの距離Ｗｂ１２と異なる。隣接する２つの細線片Ｕｂの距離は、第１方向Ｆａでみて、距離Ｗｂ１１、距離Ｗｂ１２のように、一定ではない。
【０１３９】
同様に、１つの細線片Ｕｂと、これと隣接する１つの細線片Ｕｂとの距離Ｗｂ２１は、この細線片Ｕｂと次に隣接する１つの細線片Ｕｂとの距離Ｗｂ２２と異なる。隣接する２つの細線片Ｕｂの距離は、第１方向Ｆａでみて、距離Ｗｂ２１、距離Ｗｂ２２、距離Ｗｂ２３のように、一定ではない。
【０１４０】
１つの細線片Ｕｃと、これと隣接する１つの細線片Ｕｃとの距離Ｗｃ１１は、この細線片Ｕｃと次に隣接する１つの細線片Ｕｃとの距離Ｗｃ１２と異なる。隣接する２つの細線片Ｕｃの距離は、方向Ｄａでみて、距離Ｗｃ１１、距離Ｗｃ１２、距離Ｗｃ１３のように、一定ではない。
【０１４１】
同様に、１つの細線片Ｕｃと、これと隣接する１つの細線片Ｕｃとの距離Ｗｃ２１は、この細線片Ｕｃと次に隣接する１つの細線片Ｕｃとの距離Ｗｃ２２と異なる。隣接する２つの細線片Ｕｃの距離は、方向Ｄａでみて、距離Ｗｃ２１、距離Ｗｃ２２、距離Ｗｃ２３、距離Ｗｃ２４のように、一定ではない。
【０１４２】
同様に、１つの細線片Ｕｃと、これと隣接する１つの細線片Ｕｃとの距離Ｗｃ３１は、この細線片Ｕｃと次に隣接する１つの細線片Ｕｃとの距離Ｗｃ３２と異なる。隣接する２つの細線片Ｕｃの距離は、方向Ｄａでみて、距離Ｗｃ３１、距離Ｗｃ３２、距離Ｗｃ３３のように一定ではない。
【０１４３】
実施形態３においても実施形態１と同様に、明暗模様が一定の周期を有しにくくなり、モアレが視認される可能性を低減できる。また、実施形態３において、隣り合う細線片ａ及び細線片ｂのなす角度θ１、θ１１、θ１２が一定である。このため、検出電極ＴＤＬに、可視光が入射すると、検出電極ＴＤＬで回折又は散乱する光強度パターンが拡散しずらくなる。このため、光強度パターンが６方向に集まりやすく、一定の指向性が発現しやすい。そして、視認者が実施形態３に係る検出装置自体を傾けることで、光強度パターンが発現しやすい角度を回避しやすくなる。その結果、検出電極ＴＤＬで回折又は散乱する光強度パターンは、視認しにくくなる。
【０１４４】
（実施形態３の変形例１）
図２２は、実施形態３の変形例１に係る検出電極の配置の一部を表す模式図である。なお、上述した実施形態１及び実施形態２で説明したものと同じ構成要素には同一の符号を付して重複する説明は省略する。
【０１４５】
実施形態３に係る検出電極は、第３方向Ｆｃでみて、異なる細線片Ｕｃが一直線上に並んでいたが、実施形態３の変形例１に係る検出電極は、第３方向Ｆｃでみて、異なる細線片Ｕｃが一直線上に並んでいない。
【０１４６】
実施形態３の変形例１に係る検出電極は、実施形態２に係る検出電極ＴＤＬと同じ作用効果を奏する。
【０１４７】
（実施形態４）
図２３は、実施形態４に係るタッチ検出機能付き表示装置の概略断面構造を表す断面図である。上記の実施形態１乃至３及びこれらの変形例において、ＦＦＳ、ＩＰＳ等の各種モードの液晶を用いた液晶表示装置２０と検出装置３０とを一体化してタッチ検出機能付き表示装置１０としている。これに代えて、図２３に示す実施形態４に係るタッチ検出機能付き表示装置１０は、ＴＮ（Twisted  Nematic：ツイステッドネマティック）、ＶＡ（Vertical  Alignment：垂直配向）、ＥＣＢ（Electrically  Controlled  Birefringence：電界制御複屈折）等の各種モードの液晶とタッチ検出装置とを一体化してもよい。
【０１４８】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【０１４９】
図２４は、実施形態４の変形例１に係るタッチ検出機能付き表示装置の概略断面構造を表す断面図である。図２４に示すように、表示装置４は、検出電極ＴＤＬ及び駆動電極ＣＯＭＬがなく、いわゆる共通電極ＣＯＭを備える。検出装置７は、第３基板７１のの表面と平行な面に延在する駆動電極ＣＯＭＬと、第４基板７２の表面に延在する検出電極ＴＤＬとを備える。検出電極ＴＤＬ及び駆動電極ＣＯＭＬが対向するように、第３基板７１と第４基板７２とが光学接着層７３などで接合されている。検出装置７は、表示装置４と基板７２の垂直な方向に重なり合い、光学接着層７９などで固定されている。これにより、上述した表示領域Ａｄと検出電極ＴＤＬとは基板７２の垂直な方向に重なり合う。
【０１５０】
図２５は、実施形態４の変形例２に係るタッチ検出機能付き表示装置の概略断面構造を表す断面図である。図２５に示すように、表示装置４は、検出電極ＴＤＬ及び駆動電極ＣＯＭＬがなく、いわゆる共通電極ＣＯＭを備える。検出装置７は、第３基板７１の表面と平行な面に延在する駆動電極ＣＯＭＬを備えておらず、第４基板７２の表面に延在する検出電極ＴＤＬのみを備える。検出電極ＴＤＬを保護するように、第３基板７１と第４基板７２とが光学接着層７３などで接合されている。検出装置７は、表示装置４と第４基板７２の垂直な方向に重なり合い、光学接着層７９などで固定されている。これにより、上述した表示領域Ａｄと検出電極ＴＤＬとは基板７２の垂直な方向に重なり合う。上述した、タッチ検出部４０は、検出電極ＴＤＬのみの自己静電容量の変化を検出する検出を行う。検出電極ＴＤＬは、駆動電極ＣＯＭＬがなく、電位差が発生しないため、金属の腐蝕、マイグレーションが起こりにくい。
【０１５１】
なお、検出電極ＴＤＬが複数の島状に均等配置されていてもよい。この場合、複数の検出電極ＴＤＬがタッチ検出部４０とそれぞれ電気的に接続される。そして、タッチ検出部４０により、外部近接物体の接触又は近接が生じた島状の検出電極ＴＤＬの位置が自己静電容量の変化により検出される。また、第４基板７２の表面に延在する検出電極ＴＤＬは、絶縁層を介して対向する２層構造であって、それぞれの検出電極ＴＤＬが異なる２方向に延在しているようにしてもよい。この場合、タッチ検出部４０は、異なる２方向に延在している検出電極ＴＤＬ同士の平面視の交差部分の自己静電容量の変化を検出する。
【符号の説明】
【０１５２】
１  情報処理装置
２  画素基板
３  対向基板
６  液晶層
１０  タッチ検出機能付き表示装置
１１  制御部
１２  ゲートドライバ
１３  ソースドライバ
１４  駆動電極ドライバ
２０  液晶表示装置
２１  ＴＦＴ基板
２２  画素電極
２４  絶縁層
３０  検出装置
３１  ガラス基板
３２  カラーフィルタ
３２Ｒ、３２Ｇ、３２Ｂ、３２Ｗ  色領域
３５  偏光板
４０  タッチ検出部
Ａｄ  表示領域
ＣＯＭＬ  駆動電極
Ｄｘ  画素直交方向
Ｄｙ  画素配列方向
ＧＣＬ  走査線
ＭＬ１〜ＭＬ７  導電性細線
Ｐｉｘ  画素
ＳＧＬ  信号線
ＳＰｉｘ  副画素
ＴＤＡ  検出領域
ＴＤＢ１  第１導通部
ＴＤＢ２  第２導通部
ＴＤＤ  ダミー電極
ＴＤＤＳ  分割部
ＴＤＧ  検出配線
ＴＤＬ  検出電極
【図１】
0006506992.tif 000002
【図２】
0006506992.tif 000003
【図３】
0006506992.tif 000004
【図４】
0006506992.tif 000005
【図５】
0006506992.tif 000006
【図６】
0006506992.tif 000007
【図７】
0006506992.tif 000008
【図８】
0006506992.tif 000009
【図９】
0006506992.tif 000010
【図１０】
0006506992.tif 000011
【図１１】
0006506992.tif 000012
【図１２】
0006506992.tif 000013
【図１３】
0006506992.tif 000014
【図１４】
0006506992.tif 000015
【図１５】
0006506992.tif 000016
【図１６】
0006506992.tif 000017
【図１７】
0006506992.tif 000018
【図１８】
0006506992.tif 000019
【図１９】
0006506992.tif 000020
【図２０】
0006506992.tif 000021
【図２１】
0006506992.tif 000022
【図２２】
0006506992.tif 000023
【図２３】
0006506992.tif 000024
【図２４】
0006506992.tif 000025
【図２５】
0006506992.tif 000026